(57)【要約】  この出願は、異なるシステムの間で端末のリダイレクションを実現し、5GSとEPSとの間でリダイレクションを更に実現するための、リダイレクション方法、通信システム及び通信装置を提供する。当該方法は以下を含む。第1のシステムにおけるモビリティ管理ネットワークエレメントは、第2のシステムにおける端末によりサポートされるCIOT特性及び第2のシステムにおける端末により優先されるCIOT特性に基づいて、端末を第2のシステムにリダイレクトすることを決定する。次いで、第1のシステムにおけるモビリティ管理ネットワークエレメントは、リダイレクション指示情報を第1のシステムにおけるアクセスネットワークネットワークエレメントに送信し、リダイレクション指示情報は、第1のシステムにおけるアクセスネットワークネットワークエレメントに対して、端末を第1のシステムから第2のシステムにリダイレクトするように指示するために使用される。その後、第1のシステムにおけるモビリティ管理ネットワークエレメントは、第1のシステムにおけるアクセスネットワークネットワークエレメントからハンドオーバ要求メッセージを受信し、ハンドオーバ要求メッセージに基づいて第2のシステムにおけるモビリティ管理ネットワークエレメントを選択し、第1のメッセージを第2のシステムにおけるモビリティ管理ネットワークエレメントに送信し、第1のメッセージは、端末を第2のシステムにハンドオーバすることを要求するために使用される。
2021530149.tif 000002
【特許請求の範囲】
【請求項１】
リダイレクション方法であって、
第1のシステムにおけるモビリティ管理ネットワークエレメントにより、第2のシステムにおける端末によりサポートされるセルラーのモノのインターネットCIOT特性及び前記第2のシステムにおける前記端末により優先されるCIOT特性に基づいて、前記端末を前記第2のシステムにリダイレクトすることを決定するステップと、
前記第1のシステムにおける前記モビリティ管理ネットワークエレメントにより、リダイレクション指示情報を前記第1のシステムにおけるアクセスネットワークネットワークエレメントに送信するステップであり、前記リダイレクション指示情報は、前記第1のシステムにおける前記アクセスネットワークネットワークエレメントに対して、前記端末を前記第1のシステムから前記第2のシステムにリダイレクトするように指示するために使用される、ステップと、
前記第1のシステムにおける前記モビリティ管理ネットワークエレメントにより、前記第1のシステムにおける前記アクセスネットワークネットワークエレメントからハンドオーバ要求メッセージを受信するステップであり、前記ハンドオーバ要求メッセージは、第1の指示情報を含み、前記第1の指示情報は、前記ハンドオーバ要求メッセージを送信する理由が前記第1のシステムのリダイレクション要求であることを示すために使用される、ステップと、
前記第1のシステムにおける前記モビリティ管理ネットワークエレメントにより、前記ハンドオーバ要求メッセージに基づいて前記第2のシステムにおけるモビリティ管理ネットワークエレメントを選択するステップと、
前記第1のシステムにおける前記モビリティ管理ネットワークエレメントにより、第1のメッセージを前記第2のシステムにおける前記モビリティ管理ネットワークエレメントに送信するステップであり、前記第1のメッセージは、前記端末を前記第2のシステムにハンドオーバすることを要求するために使用される、ステップと
を含む方法。
【請求項２】
前記第1の指示情報は、具体的には、進化型パケットコアEPCへのリダイレクト指示Redirect  to  EPC  Indicationであるか、
前記第1の指示情報は、具体的には、第5世代移動通信システムコアネットワーク5GCへのリダイレクト指示Redirect  to  5GC  Indicationであるか、
前記第1の指示情報は、具体的には、CIOT無線アクセス技術RAT間リダイレクションInter  CIOT  RAT  Redirection又はCIOT  Inter-RAT  Redirectionであるか、或いは、
前記第1の指示情報は、具体的には、CIOTシステム間リダイレクションInter  CIOT  System  Redirection又はCIOT  Inter-System  Redirectionである、請求項１に記載の方法。
【請求項３】
前記第1のメッセージは第2の指示情報を含み、前記第2の指示情報は、前記第2のシステムにおける前記モビリティ管理ネットワークエレメントが前記第2の指示情報に基づいて前記端末を前記第1のシステムにリダイレクトしないことを可能にするために使用される、請求項１又は２に記載の方法。
【請求項４】
前記第2の指示情報は、具体的には、第5世代移動通信システムコアネットワーク5GCからのリダイレクト指示Redirect  from  5GC  Indicationであるか、
前記第2の指示情報は、具体的には、進化型パケットコアEPCからのリダイレクト指示Redirect  from  EPC  Indicationであるか、
前記第2の指示情報は、具体的には、CIOT無線アクセス技術RAT間リダイレクションInter  CIOT  RAT  Redirection又はCIOT  Inter-RAT  Redirectionであるか、或いは、
前記第2の指示情報は、具体的には、CIOTシステム間リダイレクションInter  CIOT  System  Redirection又はCIOT  Inter-System  Redirectionである、請求項３に記載の方法。
【請求項５】
第1のシステムにおけるモビリティ管理ネットワークエレメントと、前記第1のシステムにおけるアクセスネットワークネットワークエレメントとを含む通信システムであって、
前記第1のシステムにおける前記モビリティ管理ネットワークエレメントは、
第2のシステムにおける端末によりサポートされるセルラーのモノのインターネットCIOT特性及び前記第2のシステムにおける前記端末により優先されるCIOT特性に基づいて、前記端末を前記第2のシステムにリダイレクトすることを決定し、
リダイレクション指示情報を前記第1のシステムにおける前記アクセスネットワークネットワークエレメントに送信し、前記リダイレクション指示情報は、前記第1のシステムにおける前記アクセスネットワークネットワークエレメントに対して、前記端末を前記第1のシステムから前記第2のシステムにリダイレクトするように指示するために使用される、
ように構成され
前記第1のシステムにおける前記アクセスネットワークネットワークエレメントは、
前記第1のシステムにおける前記モビリティ管理ネットワークエレメントから前記リダイレクション指示情報を受信し、ハンドオーバ要求メッセージを前記第1のシステムにおける前記モビリティ管理ネットワークエレメントに送信するように構成され、
前記第1のシステムにおける前記モビリティ管理ネットワークエレメントは、
前記第1のシステムにおける前記アクセスネットワークネットワークエレメントから前記ハンドオーバ要求メッセージを受信し、前記ハンドオーバ要求メッセージは、第1の指示情報を含み、前記第1の指示情報は、前記ハンドオーバ要求メッセージを送信する理由が前記第1のシステムのリダイレクション要求であることを示すために使用され、
前記ハンドオーバ要求メッセージに基づいて前記第2のシステムにおけるモビリティ管理ネットワークエレメントを選択し、
第1のメッセージを前記第2のシステムにおける前記モビリティ管理ネットワークエレメントに送信し、前記第1のメッセージは、前記端末を前記第2のシステムにハンドオーバすることを要求するために使用される、
ように更に構成される、通信システム。
【請求項６】
前記第1のメッセージは第2の指示情報を含み、前記第2の指示情報は、前記第2のシステムにおける前記モビリティ管理ネットワークエレメントが前記第2の指示情報に基づいて前記端末を前記第1のシステムにリダイレクトしないことを可能にするために使用される、請求項５に記載の通信システム。
【請求項７】
第1のシステムに属する通信装置であって、
第2のシステムにおける端末によりサポートされるセルラーのモノのインターネットCIOT特性及び前記第2のシステムにおける前記端末により優先されるCIOT特性に基づいて、前記端末を前記第2のシステムにリダイレクトすることを決定するように構成された処理ユニットと、
リダイレクション指示情報を前記第1のシステムにおけるアクセスネットワークネットワークエレメントに送信するように構成された送信ユニットであり、前記リダイレクション指示情報は、前記第1のシステムにおける前記アクセスネットワークネットワークエレメントに対して、前記端末を前記第1のシステムから前記第2のシステムにリダイレクトするように指示するために使用される、送信ユニットと、
前記第1のシステムにおける前記アクセスネットワークネットワークエレメントからハンドオーバ要求メッセージを受信するように構成された受信ユニットであり、前記ハンドオーバ要求メッセージは、第1の指示情報を含み、前記第1の指示情報は、前記ハンドオーバ要求メッセージを送信する理由が前記第1のシステムのリダイレクション要求であることを示すために使用される、受信ユニットと
を含み、
前記処理ユニットは、前記ハンドオーバ要求メッセージに基づいて前記第2のシステムにおけるモビリティ管理ネットワークエレメントを選択するように更に構成され、
前記送信ユニットは、第1のメッセージを前記第2のシステムにおける前記モビリティ管理ネットワークエレメントに送信するように更に構成され、前記第1のメッセージは、前記端末を前記第2のシステムにハンドオーバすることを要求するために使用される、通信装置。
【請求項８】
前記第1の指示情報は、具体的には、進化型パケットコアEPCへのリダイレクト指示Redirect  to  EPC  Indicationであるか、
前記第1の指示情報は、具体的には、第5世代移動通信システムコアネットワーク5GCへのリダイレクト指示Redirect  to  5GC  Indicationであるか、
前記第1の指示情報は、具体的には、CIOT無線アクセス技術RAT間リダイレクションInter  CIOT  RAT  Redirection又はCIOT  Inter-RAT  Redirectionであるか、或いは、
前記第1の指示情報は、具体的には、CIOTシステム間リダイレクションInter  CIOT  System  Redirection又はCIOT  Inter-System  Redirectionである、請求項７に記載の通信装置。
【請求項９】
前記第1のメッセージは第2の指示情報を含み、前記第2の指示情報は、前記第2のシステムにおける前記モビリティ管理ネットワークエレメントが前記第2の指示情報に基づいて前記端末を前記第1のシステムにリダイレクトしないことを可能にするために使用される、請求項７又は８に記載の通信装置。
【請求項１０】
リダイレクション方法であって、
端末により、第1のシステムにおけるモビリティ管理ネットワークエレメントからリダイレクション指示情報を受信するステップと、
前記端末により、前記リダイレクション指示情報に基づいて、第2のシステムを選択するステップと、
前記端末により、第2のメッセージを前記第2のシステムに送信するステップであり、前記第2のメッセージは、前記第2のシステムにアクセスすることを要求するために使用される、ステップと
を含む方法。
【請求項１１】
端末によりリダイレクション指示情報を受信する前に、当該方法は、
前記端末により、前記第2のシステムにおける前記端末によりサポートされるCIOT特性及び前記第2のシステムにおける前記端末により優先されるCIOT特性を前記第1のシステムにおける前記モビリティ管理ネットワークエレメントに送信するステップを更に含む、請求項１０に記載の方法。
【請求項１２】
前記リダイレクション指示情報は、前記第1のシステムにおける前記モビリティ管理ネットワークエレメントが、前記第2のシステムにおける前記端末によりサポートされる前記セルラーのモノのインターネットCIOT特性及び前記第2のシステムにおける前記端末により優先される前記CIOT特性に基づいて、前記端末を前記第2のシステムにリダイレクトすることを決定した後に送信される、請求項１０又は１１に記載の方法。
【請求項１３】
前記第2のメッセージは第3の指示情報を含み、前記第3の指示情報は、前記第2のメッセージを送信する理由が前記第1のシステムのリダイレクション要求であることを示すために使用され、それにより、前記第2のシステムにおけるモビリティ管理ネットワークエレメントは、前記第3の指示情報に基づいて前記端末を前記第1のシステムにリダイレクトしない、請求項１０乃至１２のうちいずれか１項に記載の方法。
【請求項１４】
前記第3の指示情報は、具体的には、第5世代移動通信システムコアネットワーク5GCからのリダイレクト指示Redirect  from  5GC  Indicationであるか、
前記第3の指示情報は、具体的には、進化型パケットコアEPCからのリダイレクト指示Redirect  from  EPC  Indicationであるか、
前記第3の指示情報は、具体的には、CIOTアクセス技術RAT間リダイレクションInter  CIOT  RAT  Redirection又はCIOT  Inter-RAT  Redirectionであるか、或いは、
前記第3の指示情報は、具体的には、CIOTシステム間リダイレクションInter  CIOT  System  Redirection又はCIOT  Inter-System  Redirectionである、請求項１３に記載の方法。
【請求項１５】
前記端末は、前記第1のシステムにおける前記端末によりサポートされるCIOT特性を無効にする、請求項１０乃至１４のうちいずれか１項に記載の方法。
【請求項１６】
前記第2のメッセージは、前記第1のシステムにおける前記端末によりサポートされる前記CIOT特性又は前記第1のシステムにおける前記端末により優先されるCIOT特性を含まず、それにより、前記第2のシステムにおけるモビリティ管理ネットワークエレメントは、前記第2のメッセージに基づいて、前記端末を前記第1のシステムにリダイレクトしない、請求項１０乃至１２及び１５のうちいずれか１項に記載の方法。
【請求項１７】
前記第1のシステムは第5世代移動通信システム5GSであり、前記第2のシステムは進化型パケットコアEPCであり、前記第2のメッセージはアタッチ要求メッセージ又はトラッキングエリア更新要求メッセージである、請求項１０乃至１６のうちいずれか１項に記載の方法。
【請求項１８】
前記第1のシステムは進化型パケットコアEPCであり、前記第2のシステムは第5世代移動通信システム5GSであり、前記第2のメッセージは登録要求メッセージである、請求項１０乃至１６のうちいずれか１項に記載の方法。
【請求項１９】
端末により、第1のシステムにおけるモビリティ管理ネットワークエレメントからリダイレクション指示情報を受信するステップは、
前記端末により、前記第1のシステムにおける前記モビリティ管理ネットワークエレメントから非アクセス層メッセージを受信するステップであり、前記非アクセス層メッセージは前記リダイレクション指示情報を搬送する、ステップを含む、請求項１０乃至１８のうちいずれか１項に記載の方法。
【請求項２０】
端末と、第1のシステムにおけるモビリティ管理ネットワークエレメントとを含む通信システムであって、
前記第1のシステムにおける前記モビリティ管理ネットワークエレメントは、
第2のシステムにおける前記端末によりサポートされるセルラーのモノのインターネットCIOT特性及び前記第2のシステムにおける前記端末により優先されるCIOT特性に基づいて、前記端末を前記第2のシステムにリダイレクトすることを決定し、
リダイレクション指示情報を前記端末に送信するように構成され、
前記端末は、
前記第1のシステムにおける前記モビリティ管理ネットワークエレメントから前記リダイレクション指示情報を受信し、
第2のメッセージを前記第2のシステムにおけるモビリティ管理ネットワークエレメントに送信し、前記第2のメッセージは、前記第2のシステムにアクセスすることを要求するために使用される、
ように構成されるシステム。
【請求項２１】
前記第2のメッセージは第3の指示情報を含み、前記第3の指示情報は、前記第2のメッセージを送信する理由が前記第1のシステムのリダイレクション要求であることを示すために使用され、それにより、前記第2のシステムにおけるモビリティ管理ネットワークエレメントは、前記第3の指示情報に基づいて前記端末を前記第1のシステムにリダイレクトしない、請求項２０に記載のシステム。
【請求項２２】
前記第2のメッセージは、前記第1のシステムにおける前記端末によりサポートされるCIOT特性又は前記第1のシステムにおける前記端末により優先されるCIOT特性を含まず、それにより、前記第2のシステムにおける前記モビリティ管理ネットワークエレメントは、前記第2のメッセージに基づいて、前記端末を前記第1のシステムにリダイレクトしない、請求項２１に記載のシステム。
【請求項２３】
前記第1のシステムは第5世代移動通信システム5GSであり、前記第2のシステムは進化型パケットコアEPCであり、前記第2のメッセージはアタッチ要求メッセージ又はトラッキングエリア更新要求メッセージである、請求項２０乃至２２のうちいずれか１項に記載のシステム。
【請求項２４】
前記第1のシステムは進化型パケットコアEPCであり、前記第2のシステムは第5世代移動通信システム5GSであり、前記第2のメッセージは登録要求メッセージである、請求項２０乃至２２のうちいずれか１項に記載のシステム。
【請求項２５】
前記第1のシステムにおける前記モビリティ管理ネットワークエレメントは、非アクセス層メッセージを前記端末に送信するように構成され、前記非アクセス層メッセージは前記リダイレクション指示情報を搬送する、請求項２０乃至２４のうちいずれか１項に記載のシステム。
【請求項２６】
通信装置であって、
第1のシステムにおけるモビリティ管理ネットワークエレメントからリダイレクション指示情報を受信するように構成された受信ユニットと、
前記リダイレクション指示情報に基づいて、第2のシステムを選択するように構成された処理ユニットと、
第2のメッセージを前記第2のシステムに送信するように構成された送信ユニットであり、前記第2のメッセージは、前記第2のシステムにアクセスすることを要求するために使用される、送信ユニットと
を含む通信装置。
【請求項２７】
前記第2のメッセージは第3の指示情報を含み、前記第3の指示情報は、前記第2のメッセージを送信する理由が前記第1のシステムのリダイレクション要求であることを示すために使用され、それにより、前記第2のシステムにおけるモビリティ管理ネットワークエレメントは、前記第3の指示情報に基づいて当該通信装置を前記第1のシステムにリダイレクトしない、請求項２６に記載の通信装置。
【請求項２８】
当該通信装置は、前記第1のシステムにおける当該通信装置によりサポートされるCIOT特性を無効にする、請求項２６又は２７に記載の通信装置。
【請求項２９】
前記第2のメッセージは、前記第1のシステムにおける当該通信装置によりサポートされる前記CIOT特性又は前記第1のシステムにおける当該通信装置により優先されるCIOT特性を含まず、それにより、前記第2のシステムは、前記第2のメッセージに基づいて、当該通信装置を前記第1のシステムにリダイレクトしない、請求項２６乃至２８のうちいずれか１項に記載の通信装置。
【請求項３０】
前記リダイレクション指示情報は、前記第1のシステムにおける前記モビリティ管理ネットワークエレメントが、前記第2のシステムにおける前記端末によりサポートされるセルラーのモノのインターネットCIOT特性及び前記第2のシステムにおける前記端末により優先されるCIOT特性に基づいて、前記端末を前記第2のシステムにリダイレクトすることを決定した後に送信される、請求項２６乃至２９のうちいずれか１項に記載の通信装置。
【請求項３１】
モビリティ管理ネットワークエレメントであって、
当該モビリティ管理ネットワークエレメントは第1のシステムに属し、プロセッサと、メモリとを含み、
前記メモリは、コンピュータ実行可能命令を記憶するように構成され、
当該モビリティ管理ネットワークエレメントが動作するとき、前記プロセッサは、前記メモリ内の前記コンピュータ実行可能命令を実行し、それにより、当該モビリティ管理ネットワークエレメントは、請求項１乃至４のうちいずれか１項に記載のリダイレクション方法を実行する、モビリティ管理ネットワークエレメント。
【請求項３２】
プロセッサと、メモリとを含む通信装置であって、
前記メモリは、コンピュータ実行可能命令を記憶するように構成され、
当該通信デバイスが動作するとき、前記プロセッサは、前記メモリ内の前記コンピュータ実行可能命令を実行し、それにより、当該通信デバイスは、請求項１０乃至１９のうちいずれか１項に記載のリダイレクション方法を実行する、通信装置。
【請求項３３】
処理装置であって、
コンピュータプログラムを記憶するように構成されたメモリと、
前記メモリから前記コンピュータプログラムを呼び出して前記コンピュータプログラムを動作させ、請求項１乃至４のうちいずれか１項に記載の方法又は請求項１０乃至１９のうちいずれか１項に記載の方法を実行するように構成されたプロセッサと
を含む処理装置。
【請求項３４】
請求項１乃至４のうちいずれか１項に記載の方法又は請求項１０乃至１９のうちいずれか１項に記載の方法を実行するように構成されたプロセッサ。
【請求項３５】
チップシステムであって、
コンピュータプログラムを記憶するように構成されたメモリと、
前記メモリから前記コンピュータプログラムを呼び出して前記コンピュータプログラムを動作させるように構成されたプロセッサであり、それにより、当該チップシステムが設置されたデバイスは、請求項１乃至４のうちいずれか１項に記載の方法又は請求項１０乃至１９のうちいずれか１項に記載の方法を実行する、プロセッサと
を含むチップシステム。
【請求項３６】
コンピュータプログラムを含むコンピュータ読み取り可能記憶媒体であって、
前記コンピュータプログラムがコンピュータ上で実行されたとき、前記コンピュータは、請求項１乃至４のうちいずれか１項に記載の方法又は請求項１０乃至１９のうちいずれか１項に記載の方法を実行することが可能になる、コンピュータ読み取り可能記憶媒体。
【請求項３７】
コンピュータプログラムを含むコンピュータプログラム製品であって、
前記コンピュータプログラムがコンピュータ上で実行されたとき、前記コンピュータは、請求項１乃至４のうちいずれか１項に記載の方法又は請求項１０乃至１９のうちいずれか１項に記載の方法を実行することが可能になる、コンピュータプログラム製品。
【請求項３８】
請求項１乃至４のうちいずれか１項に記載のリダイレクション方法又は請求項１０乃至１９のうちいずれか１項に記載のリダイレクション方法を実行するように構成された装置。
【発明の詳細な説明】
【技術分野】
【０００１】
［関連出願への相互参照］
この出願は、2018年6月26日に「REDIRECTION  METHOD,  COMMUNICATIONS  SYSTEM,  AND  COMMUNICATIONS  APPARATUS」という名称で中国国家知識産権局に出願された中国特許出願第201810670609.8号に対する優先権を主張し、その全内容を参照により援用する。
【０００２】
［技術分野］
この出願は、通信分野に関し、より具体的には、リダイレクション方法、通信システム及び通信装置に関する
【背景技術】
【０００３】
セルラーのモノのインターネット(cellular  internet  of  things,  CIOT)は、狭帯域のモノのインターネット(narrowband  internet  of  things,  NB-IoT)アクセス技術又は拡張マシンタイプ通信(enhanced  machine  type  communication,  eMTC)アクセス技術を使用することにより、移動通信ネットワークへのCIOT端末のアクセスを実現するモノのインターネットである。典型的なCIOTシステムは、進化型パケットシステム(Evolved  Packet  System,  EPS)である。より高速のサービス要件に適合するために、第3世代パートナーシッププロジェクト(3rd  generation  partnership  project,  3GPP)は、第5世代移動通信システム(5th  generation  system,  5GS)を規定している。CIOT  5GS特性及びCIOT  EPS特性をサポートするCIOT端末は、EPSにアクセスしてもよく、或いは、5GSにアクセスしてもよい。しかし、CIOT端末が5GC(5th  generation  system  core,  5GC)にアクセスするとき、5GCは、オペレータポリシーに従って或いは負荷分散要件に基づいて、CIOT端末を進化型パケットコア(evolved  packet  core,  EPC)にリダイレクトする可能性がある。代替として、CIOT端末がEPCにアクセスするとき、EPCは、オペレータポリシーに従って或いは負荷分散要件に基づいて、CIOT端末を5GCにリダイレクトする可能性がある。しかし、どのようにリダイレクションを具体的に実行するかについては、現在では依然として解決策が存在しない。
【発明の概要】
【０００４】
この出願は、異なるシステムの間で端末のリダイレクションを実現し、5GSとEPSとの間でリダイレクションを更に実現するためのリダイレクション方法、通信システム及び通信装置を提供する。
【０００５】
第1の態様によれば、この出願は、リダイレクション方法を提供し、当該方法は、第1のシステムにおけるモビリティ管理ネットワークエレメントにより、第2のシステムにおける端末によりサポートされるCIOT特性及び第2のシステムにおける端末により優先されるCIOT特性に基づいて、端末を第2のシステムにリダイレクトすることを決定するステップを含む。次いで、第1のシステムにおけるモビリティ管理ネットワークエレメントは、リダイレクション指示情報を第1のシステムにおけるアクセスネットワークネットワークエレメントに送信し、リダイレクション指示情報は、第1のシステムにおけるアクセスネットワークネットワークエレメントに対して、端末を第1のシステムから第2のシステムにリダイレクトするように指示するために使用される。その後、第1のシステムにおけるモビリティ管理ネットワークエレメントは、第1のシステムにおけるアクセスネットワークネットワークエレメントからハンドオーバ要求メッセージを受信し、ハンドオーバ要求メッセージは、第1の指示情報を含み、第1の指示情報は、ハンドオーバ要求メッセージを送信する理由が第1のシステムのリダイレクション要求であることを示すために使用される。次いで、第1のシステムにおけるモビリティ管理ネットワークエレメントは、ハンドオーバ要求メッセージに基づいて第2のシステムにおけるモビリティ管理ネットワークエレメントを選択し、第1のメッセージを第2のシステムにおけるモビリティ管理ネットワークエレメントに送信し、第1のメッセージは、端末を第2のシステムにハンドオーバすることを要求するために使用される。
【０００６】
任意選択で、第1のシステムは5GS(又は5GC)でもよく、第2のシステムはEPS(又は5GC)でもよい。代替として、第1のシステムはEPS(又はEPC)でもよく、第2のシステムは5GS(又はEPC)でもよい。5GS及びEPSは、以下の全ての例で使用される。しかし、この出願はこれに限定されない。
【０００７】
任意選択で、第1の指示情報は、具体的には、EPCへのリダイレクト指示(Redirect  to  EPC  Indication)であるか、第1の指示情報は、具体的には、5GCへのリダイレクト指示(Redirect  to  5GC  Indication)であるか、第1の指示情報は、具体的には、CIOT無線アクセス技術(radio  access  technology,  RAT)間リダイレクション(Inter  CIOT  RAT  Redirection又はCIOT  Inter-RAT  Redirection)であるか、或いは、第1の指示情報は、具体的には、CIOTシステム間リダイレクション(Inter  CIOT  System  Redirection又はCIOT  Inter-System  Redirection)である。
【０００８】
この出願のこの実施形態におけるリダイレクション方法によれば、第2のシステムへの端末のリダイレクションがトリガされる必要があると決定したとき、第1のシステムにおけるモビリティ管理ネットワークエレメントは、リダイレクション指示情報を第1のシステムにおけるアクセスネットワークネットワークエレメントに送信する。リダイレクション指示情報を受信した後に、第1のシステムにおけるアクセスネットワークネットワークエレメントは、ハンドオーバ要求メッセージを第1のシステムにおけるモビリティ管理ネットワークエレメントに送信する。ハンドオーバ要求メッセージを受信した後に、第1のシステムにおけるモビリティ管理ネットワークエレメントは、ハンドオーバを開始するために、第1のメッセージを第2のシステムにおけるモビリティ管理ネットワークエレメントに送信し、それにより、端末が第1のシステムから第2のシステムにハンドオーバできる。したがって、この出願のこの実施形態におけるリダイレクション方法によれば、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【０００９】
この出願における端末はCIOT端末でもよいことが理解されるべきである。
【００１０】
第1の態様を参照して、可能な実現方式では、第2のシステムにおける端末によりサポートされるCIOT特性及び第2のシステムにおける端末により優先されるCIOT特性は、端末により第1のシステムにおけるモビリティ管理ネットワークエレメントに送信されてもよい。
【００１１】
任意選択で、第2のシステムにおける端末によりサポートされるCIOT特性及び第2のシステムにおける端末により優先されるCIOT特性は、登録要求(registration  request)メッセージ、アタッチ要求(attach  request)メッセージ又はトラッキングエリア更新(tracking  area  update,  TAU)要求(request)メッセージで搬送されてもよい。しかし、この出願はこれに限定されない。例えば、第1のシステムが5GSであり、第2のシステムがEPSであるとき、第2のシステムにおける端末によりサポートされるCIOT特性及び第2のシステムにおける端末により優先されるCIOT特性は、登録要求メッセージで搬送されもよい。第1のシステムがEPSであり、第2のシステムが5GSであるとき、第2のシステムにおける端末によりサポートされるCIOT特性及び第2のシステムにおける端末により優先されるCIOT特性は、アタッチ要求メッセージ又はTAU要求メッセージで搬送されてもよい。
【００１２】
端末は、第1のシステムにおける端末によりサポートされるCIOT特性及び第1のシステムにおける端末により優先されるCIOT特性を第1のシステムにおけるモビリティ管理ネットワークエレメントに更に送信してもよく、それにより、端末は、第1のシステムにおける端末によりサポートされるCIOT特性及び第1のシステムにおける端末により優先されるCIOT特性を第1のシステムにおけるモビリティ管理ネットワークエレメントに登録してもよいことが理解されるべきである。例えば、第1のシステムにおける端末によりサポートされるCIOT特性及び第1のシステムにおける端末により優先されるCIOT特性は、登録要求メッセージ、アタッチ要求メッセージ又はTAU要求メッセージで搬送されてもよい。
【００１３】
第2のシステムにおける端末により優先されるCIOT特性は、第2のシステムにおける端末によりサポートされるCIOT特性のうち1つ以上である点に留意すべきである。同様に、第1のシステムにおける端末により優先されるCIOT特性は、第1のシステムにおける端末によりサポートされるCIOT特性のうち1つ以上である。
【００１４】
この出願では、例えば、CIOT特性は、制御プレーン(control  plane,  CP)最適化及びユーザプレーン(user  plane,  UP)最適化でもよい。端末によりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  CP最適化及びEPS  UP最適化でもよく、5GSにおいて、CIOT特性は、他の特性でもよい。
【００１５】
第1の態様を参照して、可能な実現方式では、リダイレクション指示情報は、N2メッセージ、例えば、N2通知(notify)メッセージ、N2初期UEコンテキスト設定(Initial  UE  Context  Setup)メッセージ、N2  UEコンテキスト変更(UE  Context  Modification)メッセージ、N2  UEコンテキスト解放(UE  Context  Release)メッセージ又はN2ダウンリンクトランスポート(Downlink  Transport)メッセージを使用することにより送信されてもよい。代替として、リダイレクション指示情報は、S1アプリケーションプレーン(S1  application  plane,  S1-AP)メッセージ、例えば、S1-AP通知(notify)メッセージ、S1-AP初期UEコンテキスト設定(Initial  UE  Context  Setup)メッセージ、S1-AP  UEコンテキスト変更(UE  Context  Modification)メッセージ、S1-AP  UEコンテキスト解放(UE  Context  Release)メッセージ又はS1-APダウンリンクトランスポート(Downlink  Transport)メッセージを使用することにより送信されてもよい。例えば、第1のシステムが5GSであり、第2のシステムがEPSであるとき、リダイレクション指示情報は、N2メッセージを使用することにより送信されてもよい。第1のシステムがEPSであり、第2のシステムが5GSであるとき、リダイレクション指示情報は、S1-APメッセージを使用することにより送信されてもよい。N2は5GSにおけるモビリティ管理ネットワークエレメントと5GSにおけるアクセスネットワークネットワークエレメントとの間のインタフェースであり、S1-APはEPSにおけるモビリティ管理ネットワークエレメントとEPSにおけるアクセスネットワークネットワークエレメントとの間のインタフェースである。
【００１６】
第1の態様を参照して、可能な実現方式では、第1のメッセージは、再配置要求(relocation  request)メッセージ又は再配置完了(relocation  complete)メッセージでもよい。しかし、この出願のこの実施形態は、これに限定されない。
【００１７】
第1の態様を参照して、可能な実現方式では、第1のメッセージは第2の指示情報を含み、第2の指示情報は、第2のシステムにおけるモビリティ管理ネットワークエレメントが第2の指示情報に基づいて端末を第1のシステムにリダイレクトしないことを可能にするために使用される。
【００１８】
したがって、この出願のこの実施形態におけるリダイレクション方法によれば、端末がターゲットシステム(すなわち、第2のシステム)からソースシステム(すなわち、第1のシステム)にリダイレクトされるのを防止できる。
【００１９】
さらに、第2の指示情報は、具体的には、5GCからのリダイレクト指示(Redirect  from  5GC  Indication)又はEPCからのリダイレクト指示(Redirect  from  EPC  Indication)であるか、第2の指示情報は、具体的には、CIOT  RAT間リダイレクション(Inter  CIOT  RAT  Redirection又はCIOT  Inter-RAT  Redirection)であるか、或いは、第2の指示情報は、具体的には、CIOTシステム間リダイレクション(Inter  CIOT  System  Redirection又はCIOT  Inter-System  Redirection)である。例えば、第1のシステムが5GSであり、第2のシステムがEPSであるとき、第2の指示情報は、具体的には、5GCからのリダイレクト指示(Redirect  from  5GC  Indication)である。第1のシステムがEPSであり、第2のシステムが5GSであるとき、第2の指示情報は、具体的には、EPCからのリダイレクト指示(Redirect  from  EPC  Indication)である。
【００２０】
第2の態様によれば、この出願は、リダイレクション方法を提供し、当該方法は、第1のシステムにおけるアクセスネットワークネットワークエレメントにより、第1のシステムにおけるモビリティ管理ネットワークエレメントにより送信されたリダイレクション指示情報を受信するステップと、リダイレクション指示情報を受信した後に、第1のシステムにおけるアクセスネットワークネットワークエレメントにより、ハンドオーバ要求メッセージを第1のシステムにおけるモビリティ管理ネットワークエレメントに送信するステップであり、ハンドオーバ要求メッセージは、第1の指示情報を含み、第1の指示情報は、ハンドオーバ要求メッセージを送信する理由が第1のシステムのリダイレクション要求であることを示すために使用される、ステップとを含む。
【００２１】
任意選択で、第1の指示情報は、具体的には、EPCへのリダイレクト指示(Redirect  to  EPC  Indication)であるか、第1の指示情報は、具体的には、5GCへのリダイレクト指示(Redirect  to  5GC  Indication)であるか、第1の指示情報は、具体的には、CIOT  RAT間リダイレクション(Inter  CIOT  RAT  Redirection又はCIOT  Inter-RAT  Redirection)であるか、或いは、第1の指示情報は、具体的には、CIOTシステム間リダイレクション(Inter  CIOT  System  Redirection又はCIOT  Inter-System  Redirection)である。
【００２２】
リダイレクション指示情報は、N2メッセージ、例えば、N2通知(notify)メッセージ、N2初期UEコンテキスト設定(Initial  UE  Context  Setup)メッセージ、N2  UEコンテキスト変更(UE  Context  Modification)メッセージ、N2  UEコンテキスト解放(UE  Context  Release)メッセージ又はN2ダウンリンクトランスポート(Downlink  Transport)メッセージを使用することにより送信されてもよい。代替として、リダイレクション指示情報は、S1アプリケーションプレーン(S1  application  plane,  S1-AP)メッセージ、例えば、S1-AP通知(notify)メッセージ、S1-AP初期UEコンテキスト設定(Initial  UE  Context  Setup)メッセージ、S1-AP  UEコンテキスト変更(UE  Context  Modification)メッセージ、S1-AP  UEコンテキスト解放(UE  Context  Release)メッセージ又はS1-APダウンリンクトランスポート(Downlink  Transport)メッセージを使用することにより送信されてもよい。例えば、第1のシステムが5GSであり、第2のシステムがEPSであるとき、リダイレクション指示情報は、N2メッセージを使用することにより送信されてもよい。第1のシステムがEPSであり、第2のシステムが5GSであるとき、リダイレクション指示情報は、S1-APメッセージを使用することにより送信されてもよい。N2は5GSにおけるモビリティ管理ネットワークエレメントと5GSにおけるアクセスネットワークネットワークエレメントとの間のインタフェースであり、S1-APはEPSにおけるモビリティ管理ネットワークエレメントとEPSにおけるアクセスネットワークネットワークエレメントとの間のインタフェースである。
【００２３】
この出願のこの実施形態におけるリダイレクション方法によれば、第2のシステムへの端末のリダイレクションがトリガされる必要があると決定したとき、第1のシステムにおけるモビリティ管理ネットワークエレメントは、リダイレクション指示情報を第1のシステムにおけるアクセスネットワークネットワークエレメントに送信する。リダイレクション指示情報を受信した後に、第1のシステムにおけるアクセスネットワークネットワークエレメントは、ハンドオーバ手順をトリガするために、ハンドオーバ要求メッセージを第1のシステムにおけるモビリティ管理ネットワークエレメントに送信し、それにより、端末を第1のシステムから第2のシステムにハンドオーバする。したがって、この出願のこの実施形態におけるリダイレクション方法によれば、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【００２４】
第3の態様によれば、リダイレクション方法が提供され、当該方法は、端末により、リダイレクション指示情報を受信するステップであり、リダイレクション指示情報は、端末に対して、第2のシステムにリダイレクトするように指示するために使用され、第2のシステムへの端末のリダイレクションは、第2のシステムにおける端末によりサポートされるセルラーのモノのインターネットCIOT特性及び第2のシステムにおける端末により優先されるCIOT特性に基づいて決定される、ステップを含む。その後、端末は、リダイレクション指示情報に基づいて、第2のシステムを選択する。次いで、端末は、第2のメッセージを第2のシステムに送信し、第2のメッセージは、第2のシステムにアクセスすることを要求するために使用される。
【００２５】
この出願のこの実施形態におけるリダイレクション方法によれば、リダイレクション指示情報を受信した後に、端末は、第2のメッセージを第2のシステムにおけるモビリティ管理ネットワークエレメントに送信することにより、第2のシステムへのアクセス手順を実行してもよく、それにより、端末が第2のシステムにアクセスできる。したがって、この出願のこの実施形態におけるリダイレクション方法によれば、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【００２６】
第3の態様を参照して、可能な実現方式では、第2のシステムにおける端末によりサポートされるCIOT特性及び第2のシステムにおける端末により優先されるCIOT特性は、端末により第1のシステムにおけるモビリティ管理ネットワークエレメントに送信されてもよい。
【００２７】
任意選択で、第2のシステムにおける端末によりサポートされるCIOT特性及び第2のシステムにおける端末により優先されるCIOT特性は、登録要求(registration  request)メッセージ、アタッチ要求(attach  request)メッセージ又はトラッキングエリア更新(tracking  area  update,  TAU)要求(request)メッセージで搬送されてもよい。しかし、この出願はこれに限定されない。例えば、第1のシステムが5GSであり、第2のシステムがEPSであるとき、第2のシステムにおける端末によりサポートされるCIOT特性及び第2のシステムにおける端末により優先されるCIOT特性は、登録要求メッセージで搬送されもよい。第1のシステムがEPSであり、第2のシステムが5GSであるとき、第2のシステムにおける端末によりサポートされるCIOT特性及び第2のシステムにおける端末により優先されるCIOT特性は、アタッチ要求メッセージ又はTAU要求メッセージで搬送されてもよい。
【００２８】
端末は、第1のシステムにおける端末によりサポートされるCIOT特性及び第1のシステムにおける端末により優先されるCIOT特性を第1のシステムにおけるモビリティ管理ネットワークエレメントに更に送信してもよく、それにより、端末は、第1のシステムにおける端末によりサポートされるCIOT特性及び第1のシステムにおける端末により優先されるCIOT特性を第1のシステムにおけるモビリティ管理ネットワークエレメントに登録してもよいことが理解されるべきである。例えば、第1のシステムにおける端末によりサポートされるCIOT特性及び第1のシステムにおける端末により優先されるCIOT特性は、登録要求メッセージ、アタッチ要求メッセージ又はTAU要求メッセージで搬送されてもよい。
【００２９】
第2のシステムにおける端末により優先されるCIOT特性は、第2のシステムにおける端末によりサポートされるCIOT特性のうち1つ以上である点に留意すべきである。同様に、第1のシステムにおける端末により優先されるCIOT特性は、第1のシステムにおける端末によりサポートされるCIOT特性のうち1つ以上である。
【００３０】
この出願では、例えば、CIOT特性は、制御プレーン(control  plane,  CP)最適化及びユーザプレーン(user  plane,  UP)最適化でもよい。端末によりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  CP最適化及びEPS  UP最適化でもよく、5GSにおいて、CIOT特性は、他の特性でもよい。
【００３１】
第3の態様を参照して、可能な実現方式では、端末により、リダイレクション指示情報を受信するステップは、端末により、第1のシステムにおけるモビリティ管理ネットワークエレメントからリダイレクション指示情報を受信するステップを具体的に含む。
【００３２】
具体的には、第1のシステムにおけるモビリティ管理ネットワークエレメントは、リダイレクション指示情報を端末に直接送信してもよい。例えば、第1のシステムにおけるモビリティ管理ネットワークエレメントは、非アクセス層(non-access-stratum,  NAS)メッセージを使用することにより、リダイレクション指示情報を端末に送信してもよい。例えば、リダイレクション指示情報は、登録解除、登録、UE構成(configuration)、デタッチ(detach)、アタッチ(attach)又はTAUのような手順において、第1のシステムにおけるモビリティ管理ネットワークエレメントによりUEに送信されるNASメッセージで搬送されてもよい。例えば、第1のシステムが5GSであり、第2のシステムがEPCであるとき、リダイレクション指示情報は、登録応答メッセージ、登録解除要求メッセージ又はUE構成更新コマンドメッセージのようなメッセージで搬送されてもよい。第1のシステムがEPCであり、第2のシステムが5GSであるとき、リダイレクション指示情報は、アタッチ応答メッセージ、デタッチ要求メッセージ又はTAU応答メッセージのようなメッセージで搬送されてもよい。
【００３３】
第3の態様を参照して、可能な実現方式では、端末により、リダイレクション指示情報を受信するステップは、端末により、第1のシステムにおけるアクセスネットワークネットワークエレメントからリダイレクション指示情報を受信するステップを具体的に含む。
【００３４】
具体的には、第1のシステムにおけるモビリティ管理ネットワークエレメントは、まず、リダイレクション指示情報を第1のシステムにおけるアクセスネットワークネットワークエレメントに送信し、次いで、第1のシステムにおけるアクセスネットワークネットワークエレメントは、リダイレクション指示情報を端末に送信する。
【００３５】
例えば、第1のシステムにおけるモビリティ管理ネットワークエレメントは、N2メッセージ又はS1-APメッセージを使用することにより、リダイレクション指示情報を第1のシステムにおけるアクセスネットワークネットワークエレメントに送信してもよく、次いで、第1のシステムにおけるアクセスネットワークネットワークエレメントは、AN解放(release)手順、S1解放手順又はハンドオーバ手順において端末に送信されるメッセージにリダイレクション指示情報を追加する。
【００３６】
例えば、N2メッセージは、N2通知(notify)メッセージ、N2初期UEコンテキスト設定(Initial  UE  Context  Setup)メッセージ、N2  UEコンテキスト変更(UE  Context  Modification)メッセージ、N2  UEコンテキスト解放(UE  Context  Release)メッセージ又はN2ダウンリンクトランスポート(Downlink  Transport)メッセージでもよい。例えば、S1-APメッセージは、S1-AP通知(notify)メッセージ、S1-AP初期UEコンテキスト設定(Initial  UE  Context  Setup)メッセージ、S1-AP  UEコンテキスト変更(UE  Context  Modification)メッセージ、S1-AP  UEコンテキスト解放(UE  Context  Release)メッセージ又はS1-APダウンリンクトランスポート(Downlink  Transport)メッセージでもよい。
【００３７】
例えば、AN解放手順において、第1のシステムにおけるアクセスネットワークネットワークエレメントにより端末に送信されるメッセージは、AN接続解放(AN  Connection  Release)メッセージでもよい。例えば、AN解放手順は、EPSへのシステム間リダイレクションを介したAN解放(AN  Release  via  inter-system  redirection  to  EPS)の手順である。AN解放(release)手順の詳細については、参考技術を参照する。この出願では、詳細はここでは説明しない。
【００３８】
例えば、S1解放手順において、第1のシステムにおけるアクセスネットワークネットワークエレメントにより端末に送信されるメッセージは、RRC接続解放(RRC  Connection  Release)メッセージでもよい。S1解放手順の詳細については、参考技術を参照する。この出願では、詳細はここでは説明しない。
【００３９】
例えば、ハンドオーバ手順において、第1のシステムにおけるアクセスネットワークネットワークエレメントにより端末に送信されるメッセージは、ハンドオーバコマンド(Handover  Command)メッセージでもよい。例えば、ハンドオーバ手順は、EPSから5GSへのハンドオーバ手順である。EPSから5GSへのハンドオーバの手順の詳細については、参考技術を参照する。この出願では、詳細はここでは説明しない。
【００４０】
第3の態様を参照して、可能な実現方式では、第2のメッセージは第3の指示情報を含み、第3の指示情報は、第2のメッセージを送信する理由が第1のシステムのリダイレクション要求であることを示すために使用され、それにより、第2のシステムにおけるモビリティ管理ネットワークエレメントは、第3の指示情報に基づいて端末を第1のシステムにリダイレクトしない。したがって、端末は、第2のシステムにリダイレクトされた後に、第1のシステムに戻るようにリダイレクトされるのを回避できる。
【００４１】
さらに、第3の指示情報は、具体的には、5GCからのリダイレクト指示(Redirect  from  5GC  Indication)又はEPCからのリダイレクト指示(Redirect  from  EPC  Indication)であるか、第3の指示情報は、具体的には、CIOT  RAT間リダイレクション(Inter  CIOT  RAT  Redirection又はCIOT  Inter-RAT  Redirection)であるか、或いは、第3の指示情報は、具体的には、CIOTシステム間リダイレクション(Inter  CIOT  System  Redirection又はCIOT  Inter-System  Redirection)である。
【００４２】
任意選択で、第2のメッセージは、登録要求(registration  request)メッセージ、アタッチ要求(Attach  request)メッセージ又はTAU要求(TAU  request)メッセージでもよい。具体的には、第1のシステムが5GSであり、第2のシステムがEPSであるとき、第2のメッセージは、アタッチ要求(Attach  request)メッセージ又はTAU要求(TAU  request)メッセージでもよい。第1のシステムがEPSであり、第2のシステムが5GSであるとき、第2のメッセージは、登録要求(registration  request)メッセージでもよい。
【００４３】
第3の態様を参照して、可能な実現方式では、端末は、第1のシステムにおける端末によりサポートされるCIOT特性を無効にする。したがって、端末は、第2のシステムにリダイレクトされた後に、第1のシステムに戻るようにリダイレクトされるのを回避できる。
【００４４】
第3の態様を参照して、可能な実現方式では、第2のメッセージは、第1のシステムにおける端末によりサポートされるCIOT特性又は第1のシステムにおける端末により優先されるCIOT特性を含まず、それにより、第2のシステムは、第2のメッセージに基づいて、端末を第1のシステムにリダイレクトしない。したがって、端末は、第2のシステムにリダイレクトされた後に、第1のシステムに戻るようにリダイレクトされるのを回避できる。
【００４５】
第4の態様によれば、リダイレクション方法が提供され、当該方法は、第1のシステムにおけるアクセスネットワークネットワークエレメントにより、第1のシステムにおけるモビリティ管理ネットワークエレメントにより送信されたリダイレクション指示情報を受信するステップと、第1のシステムにおけるアクセスネットワークネットワークエレメントにより、リダイレクション指示情報を端末に送信するステップとを含む。
【００４６】
任意選択で、第1のシステムにおけるモビリティ管理ネットワークエレメントは、N2メッセージ又はS1-APメッセージを使用することにより、リダイレクション指示情報を第1のシステムにおけるアクセスネットワークネットワークエレメントに送信してもよく、次いで、第1のシステムにおけるアクセスネットワークネットワークエレメントは、AN解放(release)手順、S1解放手順又はハンドオーバ手順において端末に送信されるメッセージにリダイレクション指示情報を追加する。
【００４７】
この出願のこの実施形態におけるリダイレクション方法によれば、リダイレクション指示情報を受信した後に、第1のシステムにおけるアクセスネットワークネットワークエレメントは、第2のシステムにアクセスするためのアクセス手順を実行するように端末をトリガするために、リダイレクション指示情報を端末に送信してもよい。したがって、この出願のこの実施形態におけるリダイレクション方法によれば、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【００４８】
第5の態様によれば、通信システムが提供され、第1のシステムにおけるモビリティ管理ネットワークエレメントと、第1のシステムにおけるアクセスネットワークネットワークエレメントとを含む。
【００４９】
第1のシステムにおけるモビリティ管理ネットワークエレメントは、第2のシステムにおける端末によりサポートされるセルラーのモノのインターネットCIOT特性及び第2のシステムにおける端末により優先されるCIOT特性に基づいて、端末を第2のシステムにリダイレクトすることを決定し、リダイレクション指示情報を第1のシステムにおけるアクセスネットワークネットワークエレメントに送信するように構成され、リダイレクション指示情報は、第1のシステムにおけるアクセスネットワークネットワークエレメントに対して、端末を第1のシステムから第2のシステムにリダイレクトするように指示するために使用される。
【００５０】
第1のシステムにおけるアクセスネットワークネットワークエレメントは、第1のシステムにおけるモビリティ管理ネットワークエレメントからリダイレクション指示情報を受信し、ハンドオーバ要求メッセージを第1のシステムにおけるモビリティ管理ネットワークエレメントに送信するように構成される。
【００５１】
さらに、第1のシステムにおけるモビリティ管理ネットワークエレメントは、
第1のシステムにおけるアクセスネットワークネットワークエレメントからハンドオーバ要求メッセージを受信し、
ハンドオーバ要求メッセージは、第1の指示情報を含み、第1の指示情報は、ハンドオーバ要求メッセージを送信する理由が第1のシステムのリダイレクション要求であることを示すために使用され、
ハンドオーバ要求メッセージに基づいて第2のシステムにおけるモビリティ管理ネットワークエレメントを選択し、
第1のメッセージを第2のシステムにおけるモビリティ管理ネットワークエレメントに送信し、
第1のメッセージは、端末を第2のシステムにハンドオーバすることを要求するために使用される、ように更に構成される。
【００５２】
第5の態様を参照して、可能な実現方式では、第1のメッセージは第2の指示情報を含み、第2の指示情報は、第2のシステムにおけるモビリティ管理ネットワークエレメントが第2の指示情報に基づいて端末を第1のシステムにリダイレクトしないことを可能にするために使用される。
【００５３】
第6の態様によれば、通信システムが提供され、端末と、第1のシステムにおけるモビリティ管理ネットワークエレメントとを含む。
【００５４】
第1のシステムにおけるモビリティ管理ネットワークエレメントは、第2のシステムにおける端末によりサポートされるセルラーのモノのインターネットCIOT特性及び第2のシステムにおける端末により優先されるCIOT特性に基づいて、端末を第2のシステムにリダイレクトすることを決定し、リダイレクション指示情報を端末に送信するように構成され、リダイレクション指示情報は、端末に対して、端末を第1のシステムから第2のシステムにリダイレクトするように指示するために使用される。
【００５５】
さらに、端末は、第1のシステムにおけるモビリティ管理ネットワークエレメントからリダイレクション指示情報を受信し、第2のメッセージを第2のシステムにおけるモビリティ管理ネットワークエレメントに送信するように構成され、第2のメッセージは、第2のシステムにアクセスすることを要求するために使用される。
【００５６】
第6の態様を参照して、可能な実現方式では、システムは、第1のシステムにおけるアクセスネットワークネットワークエレメントを更に含み、第1のシステムにおけるモビリティ管理ネットワークエレメントは、
第1のシステムにおけるモビリティ管理ネットワークエレメントからリダイレクション指示情報を受信し、
リダイレクション指示情報を端末に送信するように構成される。
【００５７】
第6の態様を参照して、可能な実現方式では、第2のメッセージは第3の指示情報を含み、第3の指示情報は、第2のメッセージを送信する理由が第1のシステムのリダイレクション要求であることを示すために使用され、それにより、第2のシステムにおけるモビリティ管理ネットワークエレメントは、第3の指示情報に基づいて端末を第1のシステムにリダイレクトしない。
【００５８】
第6の態様を参照して、可能な実現方式では、端末は、第1のシステムにおける端末によりサポートされるCIOT特性を無効にするように更に構成される。したがって、端末は、第2のシステムにリダイレクトされた後に、第1のシステムに戻るようにリダイレクトされるのを回避できる。
【００５９】
第6の態様を参照して、可能な実現方式では、第2のメッセージは、第1のシステムにおける端末によりサポートされるCIOT特性又は第1のシステムにおける端末により優先されるCIOT特性を含まず、それにより、第2のシステムにおけるモビリティ管理ネットワークエレメントは、第2のメッセージに基づいて、端末を第1のシステムにリダイレクトしない。
【００６０】
第7の態様によれば、通信装置が提供され、第1の態様又は第1の態様の可能な実現方式のうちいずれか1つにおける方法を実行するようにされる。具体的には、当該装置は、第1の態様又は第1の態様の可能な実現方式のうちいずれか1つにおける方法を実行するように構成されたユニットを含む。
【００６１】
第8の態様によれば、通信装置が提供され、第2の態様又は第2の態様の可能な実現方式のうちいずれか1つにおける方法を実行するようにされる。具体的には、当該装置は、第2の態様又は第2の態様の可能な実現方式のうちいずれか1つにおける方法を実行するように構成されたユニットを含む。
【００６２】
第9の態様によれば、通信装置が提供され、第3の態様又は第3の態様の可能な実現方式のうちいずれか1つにおける方法を実行するようにされる。具体的には、当該装置は、第3の態様又は第3の態様の可能な実現方式のうちいずれか1つにおける方法を実行するように構成されたユニットを含む。
【００６３】
第10の態様によれば、通信装置が提供され、第4の態様又は第4の態様の可能な実現方式のうちいずれか1つにおける方法を実行するようにされる。具体的には、当該装置は、第4の態様又は第4の態様の可能な実現方式のうちいずれか1つにおける方法を実行するように構成されたユニットを含む。
【００６４】
第11の態様によれば、他の通信装置が提供され、当該装置は、トランシーバと、メモリと、プロセッサとを含む。トランシーバ、メモリ及びプロセッサは、内部接続経路を使用することにより互いに通信する。メモリは命令を記憶するように構成される。プロセッサは、メモリに記憶された命令を実行し、信号を受信するように受信機を制御し、信号を送信するように送信機を制御するように構成され、それにより、当該装置が第1の態様〜第4の態様又は第1の態様〜第4の態様の可能な実現方式のうちいずれか1つにおける方法を実行することを可能にする。
【００６５】
第12の態様によれば、他の装置が提供され、当該装置はプロセッサを含む。プロセッサは、メモリに結合されてメモリ内の命令を読み取った後に、命令に従って第1の態様〜第4の態様又は第1の態様〜第4の態様の可能な実現方式のいずれか1つにおける方法を実行するように構成される。
【００６６】
第13の態様によれば、コンピュータプログラム製品が提供され、コンピュータプログラム製品はコンピュータプログラムコードを含む。コンピュータプログラムコードがコンピュータにより実行されたとき、コンピュータは、上記の態様のうちいずれか1つのいずれかの可能な実現方式における方法を実行することが可能になる。
【００６７】
第14の態様によれば、コンピュータ読み取り可能媒体が提供され、コンピュータプログラムを記憶するために使用される。コンピュータプログラムは、上記の態様のうちいずれか1つのいずれかの可能な実現方式における方法を実行するために使用される命令を含む。
【００６８】
第15の態様によれば、通信チップが提供され、通信チップは命令を記憶する。命令がコンピュータデバイス上で実行されたとき、通信チップは、上記の態様のうちいずれか1つのいずれかの可能な実現方式における方法を実行することが可能になる。
【図面の簡単な説明】
【００６９】
【図１】この出願によるシステムアーキテクチャの概略図である。
【図２】この出願による他のシステムアーキテクチャの概略図である。
【図３】EPSの概略アーキテクチャ図である。
【図４】簡略化した5GSの概略アーキテクチャ図である。
【図５】5GSの概略アーキテクチャ図である。
【図６】この出願によるリダイレクション方法の概略フローチャートである。
【図７】この出願によるリダイレクション方法の概略フローチャートである。
【図８】この出願による他のリダイレクション方法の概略フローチャートである。
【図９】この出願による他のリダイレクション方法の概略フローチャートである。
【図１０】この出願による更に他のリダイレクション方法の概略フローチャートである。
【図１１】この出願による更に他のリダイレクション方法の概略フローチャートである。
【図１２】この出願による通信装置の概略構造図である。
【図１３】この出願による他の通信装置の概略構造図である。
【図１４】この出願による装置の概略構造図である。
【発明を実施するための形態】
【００７０】
以下に、添付の図面を参照して、この出願の技術的解決策について説明する。
【００７１】
図１は、この出願によるシステムアーキテクチャ100の概略図である。図１に示すように、システムアーキテクチャ100は、モビリティ管理ネットワークエレメント110と、アクセスネットワークネットワークエレメント120とを含む。任意選択で、システムアーキテクチャ100は、モビリティ管理ネットワークエレメント130と、端末(terminal)140とを更に含んでもよい。モビリティ管理ネットワークエレメント110は、第1のシステムにおけるモビリティ管理ネットワークエレメントであり、アクセスネットワークネットワークエレメント120は、第1のシステムにおけるアクセスネットワークネットワークエレメントであり、モビリティ管理ネットワークエレメント130は、第2のシステムにおけるモビリティ管理ネットワークエレメントである。第1のシステム及び第2のシステムは異なるシステムである。任意選択で、第1のシステムは5GSでもよく、第2のシステムはEPSでもよい。代替として、第1のシステムはEPSでもよく、第2のシステムは5GSでもよい。第1のシステム及び第2のシステムは、代替として、他のシステムでもよいことが理解されるべきである。これはこの出願では限定されない。
【００７２】
システムアーキテクチャ100は、この出願において提供されるリダイレクション方法を実行するように構成されてもよい。
【００７３】
具体的には、モビリティ管理ネットワークエレメント110は、第2のシステムにおける端末によりサポートされるCIOT特性及び第2のシステムにおける端末により優先されるCIOT特性に基づいて、端末を第2のシステムにリダイレクトすることを決定し、リダイレクション指示情報をアクセスネットワークネットワークエレメント120に送信し、リダイレクション指示情報は、アクセスネットワークネットワークエレメント120に対して、端末を第1のシステムから第2のシステムにリダイレクトするように指示するために使用され、モビリティ管理ネットワークエレメント110からハンドオーバ要求メッセージを受信し、ハンドオーバ要求メッセージに基づいてモビリティ管理ネットワークエレメント130を選択し、第1のメッセージをモビリティ管理ネットワークエレメント130に送信し、第1のメッセージは、端末を第2のシステムにハンドオーバすることを要求するために使用される、ように具体的に構成される。
【００７４】
対応して、アクセスネットワークネットワークエレメント130は、モビリティ管理ネットワークエレメントからリダイレクション指示情報を受信し、ハンドオーバ要求メッセージをモビリティ管理ネットワークエレメント110に送信するように構成される。
【００７５】
対応して、アクセスネットワークネットワークエレメント130は、モビリティ管理ネットワークエレメント110から第1のメッセージを受信するように構成される。
【００７６】
したがって、端末が第2のシステムにリダイレクトされる必要があると決定したとき、モビリティ管理ネットワークエレメント110は、リダイレクション指示情報を使用することにより、アクセスネットワークネットワークエレメント120に対して、ハンドオーバ手順をトリガするように指示してもよい。その後、アクセスネットワークネットワークエレメント120は、RAT間(inter  radio  access  technology,  inter-RAT)ハンドオーバ(handover,  HO)をトリガするために、ハンドオーバ要求メッセージをモビリティ管理エレメント130に送信してもよく、それにより、端末を第1のシステムから第2のシステムにハンドオーバする。したがって、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【００７７】
任意選択で、端末140は、接続状態の端末でもよく、モビリティ管理ネットワークエレメント120及びモビリティ管理ネットワークエレメント130は、N26インタフェースを使用することにより互いに通信してもよい。しかし、これは、この出願のこの実施形態では限定されない。
【００７８】
任意選択で、端末140は、第2のシステムにおける端末によりサポートされるCIOT特性及び第2のシステムにおける端末により優先されるCIOT特性をモビリティ管理ネットワークエレメント110に送信するように構成される。対応して、モビリティ管理ネットワークエレメント110は、端末140から第2のシステムにおける端末によりサポートされるCIOT特性及び第2のシステムにおける端末により優先されるCIOT特性を受信するように構成される。
【００７９】
任意選択で、端末140は、第1のシステムにおける端末によりサポートされるCIOT特性及び第1のシステムにおける端末により優先されるCIOT特性をモビリティ管理ネットワークエレメント130に送信するように更に構成される。対応して、モビリティ管理ネットワークエレメント130は、端末140から第1のシステムにおける端末によりサポートされるCIOT特性及び第1のシステムにおける端末により優先されるCIOT特性を受信するように構成される。
【００８０】
任意選択で、ハンドオーバ要求メッセージは、第1の指示情報を含んでもよく、第1の指示情報は、ハンドオーバ要求メッセージを送信する理由が第1のシステムのリダイレクション要求であることを示すために使用される。
【００８１】
さらに、第1の指示情報は、具体的には、EPCへのリダイレクト指示(Redirect  to  EPC  Indication)であるか、第1の指示情報は、具体的には、第5世代移動通信システムコアネットワーク5GCへのリダイレクト指示(Redirect  to  5GC  Indication)であるか、第1の指示情報は、具体的には、CIOT  RAT間リダイレクションInter  CIOT  RAT  Redirection又はCIOT  Inter-RAT  Redirectionであるか、或いは、第1の指示情報は、具体的には、CIOTシステム間リダイレクションInter  CIOT  System  Redirection又はCIOT  Inter-System  Redirectionである。
【００８２】
任意選択で、第1のメッセージは第2の指示情報を含み、第2の指示情報は、モビリティ管理ネットワークエレメント130が第2の指示情報に基づいて端末を第1のシステムにリダイレクトしないことを可能にするために使用される。
【００８３】
さらに、第2の指示情報は、具体的には、第5世代移動通信システムコアネットワーク5GCからのリダイレクト指示(Redirect  from  5GC  Indication)であるか、第2の指示情報は、具体的には、進化型パケットコアEPCからのリダイレクト指示(Redirect  from  EPC  Indication)であるか、第2の指示情報は、具体的には、CIOT  RAT間リダイレクションInter  CIOT  RAT  Redirection又はCIOT  Inter-RAT  Redirectionであるか、或いは、第2の指示情報は、具体的には、CIOTシステム間リダイレクションInter  CIOT  System  Redirection又はCIOT  Inter-System  Redirectionである。
【００８４】
図２は、この出願によるシステムアーキテクチャ200の概略図である。図２に示すように、システムアーキテクチャ200は、端末210と、モビリティ管理ネットワークエレメント220とを含む。任意選択で、システムアーキテクチャ200は、アクセスネットワークネットワークエレメント230を更に含んでもよい。モビリティ管理ネットワークエレメント220は、第1のシステムにおけるモビリティ管理ネットワークエレメントであり、アクセスネットワークネットワークエレメント230は、第1のシステムにおけるアクセスネットワークネットワークエレメントである。第1のシステム及び第2のシステムは異なるシステムである。任意選択で、第1のシステムは5GSでもよく、第2のシステムはEPSでもよい。代替として、第1のシステムはEPSでもよく、第2のシステムは5GSでもよい。第1のシステム及び第2のシステムは、代替として、他のシステムでもよいことが理解されるべきである。これはこの出願では限定されない。
【００８５】
システムアーキテクチャ200は、この出願において提供される他のリダイレクション方法を実行するように構成されてもよい。
【００８６】
具体的には、モビリティ管理ネットワークエレメント220は、第2のシステムにおける端末によりサポートされるCIOT特性及び第2のシステムにおける端末により優先されるCIOT特性に基づいて、端末を第2のシステムにリダイレクトすることを決定し、リダイレクション指示情報を端末に送信するように構成され、リダイレクション指示情報は、端末を第2のシステムにリダイレクトするように指示するために使用される。
【００８７】
対応して、端末210は、リダイレクション指示情報を受信し、リダイレクション指示情報は、端末に対して、第2のシステムにリダイレクトするように指示するために使用され、第2のシステムへの端末のリダイレクションは、第2のシステムにおける端末によりサポートされるCIOT特性及び第2のシステムにおける端末により優先されるCIOT特性に基づいて決定され、端末は、リダイレクション指示情報に基づいて、第2のシステムを選択し、第2のメッセージを第2のシステムに送信し、第2のメッセージは、第2のシステムにアクセスすることを要求するために使用される、ように構成される。
【００８８】
したがって、端末210がリダイレクトされる必要があると決定したとき、モビリティ管理ネットワークエレメント220は、リダイレクション指示情報を端末210に送信してもよい。リダイレクション指示情報を受信した後に、端末は、第2のシステムを選択してもよく、次いで、選択された第2のシステムにアクセスしてもよい。したがって、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【００８９】
任意選択で、実現方式では、モビリティ管理ネットワークエレメント220がリダイレクション指示情報を端末に送信するように構成されることは、以下のことを具体的に含む。モビリティ管理ネットワークエレメントは、リダイレクション指示情報をアクセスネットワークネットワークエレメント230に送信し、次いで、アクセスネットワークネットワークエレメント230は、リダイレクション指示情報を端末に送信する。
【００９０】
具体的には、アクセスネットワークネットワークエレメント230は、モビリティ管理ネットワークエレメント220により送信されたリダイレクション指示情報をカプセル化解除する必要があり、次いで、リダイレクション指示情報を端末210に送信する。例えば、モビリティ管理ネットワークエレメントは、N2メッセージ又はS1-APメッセージを使用することによりリダイレクション指示情報をアクセスネットワークネットワークエレメント230に送信してもよく、次いで、アクセスネットワークネットワークエレメントは、AN解放(release)手順又はS1解放手順において端末に送信されるメッセージにリダイレクション指示情報を追加する。
【００９１】
任意選択で、他の実現方式では、モビリティ管理ネットワークエレメント220は、リダイレクション指示情報を端末に直接送信する。これは、アクセスネットワークネットワークエレメント230が、リダイレクション指示情報に対して処理を実行せず、簡単な転送動作のみを実行することを意味する。
【００９２】
任意選択で、端末210は、第2のシステムにおける端末によりサポートされるCIOT特性及び第2のシステムにおける端末により優先されるCIOT特性をモビリティ管理ネットワークエレメント220に送信するように更に構成される。対応して、モビリティ管理ネットワークエレメント220は、端末210から第2のシステムにおける端末によりサポートされるCIOT特性及び第2のシステムにおける端末により優先されるCIOT特性を受信するように構成される。
【００９３】
任意選択で、第2のメッセージは第3の指示情報を含み、第3の指示情報は、第2のメッセージを送信する理由が第1のシステムのリダイレクション要求であることを示すために使用され、それにより、第2のシステムにおけるモビリティ管理ネットワークエレメントは、第3の指示情報に基づいて端末を第1のシステムにリダイレクトしない。
【００９４】
任意選択で、第3の指示情報は、具体的には、第5世代移動通信システム5GCからのリダイレクト指示(Redirect  from  5GC  Indication)であるか、第3の指示情報は、進化型パケットコアEPCからのリダイレクト指示(Redirect  from  EPC  Indication)であるか、第3の指示情報は、具体的には、CIOT  RAT間リダイレクションInter  CIOT  RAT  Redirection又はCIOT  Inter-RAT  Redirectionであるか、或いは、第3の指示情報は、具体的には、CIOTシステム間リダイレクションInter  CIOT  System  Redirection又はCIOT  Inter-System  Redirectionである。
【００９５】
任意選択で、端末は、第1のシステムにおける端末によりサポートされるCIOT特性を無効にする。
【００９６】
任意選択で、第2のメッセージは、第1のシステムにおける端末によりサポートされるCIOT特性又は第1のシステムにおける端末により優先されるCIOT特性を含まず、それにより、第2のシステムにおけるモビリティ管理ネットワークエレメントは、第2のメッセージに基づいて、端末を第1のシステムにリダイレクトしない。
【００９７】
この出願のこの実施形態における端末は、ユーザ機器(user  equipment,  UE)、アクセス端末、加入者ユニット、加入者局、移動局、移動コンソール、遠隔局、遠隔端末、移動デバイス、ユーザ端末、端末、無線通信デバイス、ユーザエージェント、ユーザ装置等でもよいことが理解されるべきである。代替として、端末は、携帯電話、コードレス電話、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)、無線通信機能を有するハンドヘルドデバイス、計算デバイス、無線モデムに接続された他の処理デバイス、車載デバイス、ウェアラブルデバイス、将来の5Gネットワークにおける端末デバイス、将来の進化型公衆陸上移動ネットワーク(Public  Land  Mobile  Network,  PLMN)における端末デバイス等でもよい。これは、この出願のこの実施形態では限定されない。具体的には、この出願における端末はCIOT端末でもよい。CIOT端末は、低コスト、シンプルな機能、低電力消費及び頻繁でないユーザデータ送信のようなアプリケーション特性を有する。
【００９８】
図３は、EPSのアーキテクチャ図300である。図３に示すように、アーキテクチャ図300は、以下のネットワークエンティティを具体的に含んでもよい。
【００９９】
1.進化型ユニバーサル地上無線アクセスネットワーク(evolved  universal  terrestrial  radio  access  network,  EUTRAN)は、複数の進化型ノードB(Evolved  NodeB,  eNodeB)を含むネットワークであり、無線物理層機能、リソーススケジューリング、無線リソース管理、無線アクセス制御及びモビリティ管理機能を実現する。eNodeBは、X2インタフェースを使用することにより互いに接続されてもよく、X2ベースのハンドオーバプロセスでデータを送信してもよい。eNodeBは、ユーザプレーンインタフェースS1-Uを使用することによりサービングゲートウェイ(serving  gateway,  SGW)に接続され、汎用パケット無線システムトンネリングプロトコル・ユーザプレーン(general  packet  radio  system  general  tunneling  protocol  user  plane,  GTP-U)を使用することによりユーザデータを送信し、制御プレーンインタフェースS1-MMEを使用することによりモビリティ管理エンティティ(mobility  management  entity,  MME)に接続され、S1-APプロトコルを使用することにより無線アクセスベア制御のような機能を実現する。
【０１００】
2.MMEは、非アクセス層(non-access-stratum,  NAS)シグナリング及びセキュリティ、トラッキングエリアリスト(tracking  area  List)管理、パケットデータネットワークゲートウェイ(packet  date  network  gateway,  P-GW)及びSGW選択等を含む、ユーザ管理における全ての制御プレーン機能、すなわち、セッション管理を主に担う。
【０１０１】
3.SGWは、ユーザ機器のデータ送信、データ転送及びルート切り替えを主に担い、ユーザ機器がeNodeBの間でハンドオーバされるときのローカルモビリティアンカーとして機能する(ユーザ機器毎に1つのSGWのみが各時点にユーザ機器にサービス提供する)。
【０１０２】
4.P-GWは、パケットデータネットワーク(packet  date  network,  PDN)接続のアンカーとして機能し、ユーザ機器のIPアドレス割り当て、及びユーザ装置のデータパケットフィルタリング、レート制御、課金情報生成等を担う。
【０１０３】
5.サービングGPRSサポートノード(serving  GPRS  supporting  node,  SGSN)は、GSM/EDGE無線アクセスネットワーク(GSM/EDGE  radio  access  network,  GERAN)のような第2Gアクセスネットワーク又はユニバーサル地上無線アクセスネットワーク(universal  terrestrial  radio  access  network,  UTRAN)のような第3GアクセスネットワークとEPSコアネットワークEPCとの間のアクセスノードであり、GERAN又はUTRANからEPCへのベアラ確立及びデータ転送を担う。
【０１０４】
6.ホーム加入者サーバ(home  subscriber  server,  HSS)は、移動ユーザの加入データを記憶する。
【０１０５】
7.ポリシー及び課金ルール機能(policy  and  charging  rules  function,  PCRF)は、課金管理及びポリシー制御を担い、ポリシー及び課金制御(policy  and  charging  control,  PCC)ルール及びサービス品質(quality  of  service,  QoS)ルールを含む。
【０１０６】
図４は、5GSのアーキテクチャ図400である。図４に示すように、5GSは、UEと、(無線)アクセスネットワーク(radio  access  network,  (R)AN)と、コアネットワーク(Core)と、データネットワーク(data  network,  DN)とを含む。UE、AN、Coreはアーキテクチャを構成する主要なコンポーネントであり、2つの部分、すなわち、ユーザプレーン及び制御プレーンに論理的に分類されてもよい。制御プレーンは移動ネットワーク管理を担い、ユーザプレーンはサービスデータ送信を担う。図面において、NG2参照ポイントはAN制御プレーンとコア制御プレーンとの間にあり、NG3参照ポイントはANユーザプレーンとコアユーザプレーンとの間にあり、NG6参照ポイントはコアユーザプレーンとデータネットワークとの間にある。
【０１０７】
UEは、移動ユーザとネットワークとの間の相互作用のための入口であり、基本的な計算能力及び記憶能力を提供し、サービスウィンドウをユーザに表示し、ユーザ操作入力を受け入れることができる。UEは、ANへの信号接続及びデータ接続を確立し、制御信号及びサービスデータを移動ネットワークに送信するために、次世代エアインタフェース技術を使用する。
【０１０８】
ANは、従来のネットワークにおける基地局と同様であり、UEの近くに配置され、特定のエリアにおいて認められたユーザのためにネットワークアクセス機能を提供し、異なる品質の送信トンネルを使用することによりユーザレベル及びサービス要件に基づいてユーザデータを送信できる。ANは、ANのリソースを管理して適切に使用し、要件に基づいてUEのためにアクセスサービスを提供し、UEとコアネットワークとの間で制御信号及びユーザデータを転送できる。
【０１０９】
Coreは、移動ネットワークの加入データを維持し、移動ネットワーク内のネットワークエレメントを管理し、UEのセッション管理、モビリティ管理、ポリシー管理及びセキュリティ認証のような機能を提供することを担う。UEがコアネットワークにアタッチされたとき、コアネットワークは、UEのためにネットワークアクセス認証を提供し、UEがサービスを要求したとき、コアネットワークは、ネットワークリソースをUEに割り当て、UEが移動したとき、コアネットワークは、UEのためのネットワークリソースを更新し、UEがアイドルであるとき、コアネットワークは、UEのために高速復旧メカニズムを提供し、UEがコアネットワークからデタッチされたとき、コアネットワークは、UEのためのネットワークリソースを解放し、UEがサービスデータを有するとき、コアネットワークは、UEのためにデータルーティング機能を提供し、例えば、アップリンクデータをDNに転送するか、或いは、DNからUEのためのダウンリンクデータを受信し、ダウンリンクデータをUEに送信するためにダウンリンクデータをANに転送する。
【０１１０】
DNは、ユーザのためにビジネスサービスを提供するデータネットワークである。通常では、クライアントはUEに位置し、サーバはデータネットワークに位置する。データネットワークは、ローカルエリアネットワークのようなプライベートネットワーク、インターネットのようなオペレータにより管理及び制御されない外部ネットワーク、又はIPマルチメディアネットワークサブシステム(IP  multimedia  core  network  subsystem,  IMS)サービスを構成するように配置された専用ネットワークのようなオペレータにより共同で配置される専用ネットワークでもよい。
【０１１１】
図５は、図４に基づいて決定された詳細なアーキテクチャを示す。コアネットワークユーザプレーンは、ユーザプレーン機能(user  plane  function,  UPF)を含む。コアネットワーク制御プレーンは、認証サーバ機能(authentication  server  function,  AUSF)と、コアネットワークアクセス及びモビリティ管理機能(core  access  and  mobility  management  function,  AMF)と、セッション管理機能(session  management  function,  SMF)と、ネットワークスライス選択機能(network  slice  selection  function,  NSSF)と、ネットワーク公開機能(Network  Exposure  Function,  NEF)と、ネットワーク機能リポジトリ機能(NF  repository  function,  NRF)と、統一データ管理(unified  data  management,  UDM)と、ポリシー制御機能(policy  control  function,  PCF)と、アプリケーション機能(application  function,  AF)とを含む。これらの機能エンティティの機能は以下の通りである。
【０１１２】
UPFは、SMFのルーティングルールに従ってユーザデータパケットの転送を実行する。
【０１１３】
AUSFは、UEに対してセキュリティ認証を実行する。
【０１１４】
AMFは、UEアクセス管理及びモビリティ管理を実行する。
【０１１５】
SMFは、UEセッション管理を実行する。
【０１１６】
NSSFは、UEのためにネットワークスライスを選択する。
【０１１７】
NEFは、ノースバウンドAPIインタフェースを通じてネットワーク機能を第三者に公開する。
【０１１８】
NRFは、他のネットワークエレメントのためのネットワーク機能エンティティ情報を記憶して選択する。
【０１１９】
UDMは、ユーザ加入コンテキスト管理を実行する。
【０１２０】
PCFは、ユーザポリシー管理を実行する。
【０１２１】
AFは、ユーザアプリケーション管理を実行する。
【０１２２】
図５に示すアーキテクチャでは、N1インタフェースは、UEとAMFとの間の参照ポイントである。N2インタフェースは、(R)ANとAMFとの間の参照ポイントであり、NASメッセージ等を送信するように構成される。N3インタフェースは、(R)ANとUPFとの間の参照ポイントであり、ユーザプレーンデータ等を送信するように構成される。N4インタフェースは、SMFとUPFとの間の参照ポイントであり、N3接続のトンネル識別子情報、データバッファリング指示情報及びダウンリンクデータ通知メッセージのような情報を送信するように構成される。N6インタフェースは、UPFとDNとの間の参照ポイントであり、ユーザプレーンデータ等を送信するように構成される。
【０１２３】
図３〜図５におけるネットワークエレメントの間のインタフェースの名称は、単なる例であり、インタフェースは、具体的な実現方式では他の名称を有してもよい点に留意すべきである。これは、この出願の実施形態では具体的に限定されない。図１〜図５に含まれるネットワークエレメントの名称(SMF、AF及びUPF等)もまた、単なる例であり、ネットワークエレメントの機能に対する限定を構成しない。5Gネットワーク及び他の将来のネットワークにおいて、上記のネットワークエレメントは、代替として、他の名称を有してもよい。これは、この出願の実施形態では具体的に限定されない。例えば、6Gネットワークにおいて、上記のネットワークエレメントの一部又は全部は、5Gにおける用語を使用してもよく、或いは、他の名称等を使用してもよい。これは、ここでは一様に記載される。詳細は以下では説明しない。さらに、上記のネットワークエレメントの間で送信されるメッセージ(又はシグナリング)の名称は、単なる例であり、メッセージの機能に対する限定を構成しないことが理解されるべきである。
【０１２４】
この出願において提供されるリダイレクション方法における第1のシステムは、図３に示すEPS及び図５に示す5GSのいずれかでもよく、第2のシステムは、図３に示すEPS及び図５に示す5GSにおける他のシステムでもよい。具体的には、この出願における第1のシステムはEPSでもよく、対応して、第2のシステムは5GSある。代替として、この出願における第1のシステムは5GSでもよく、対応して、第2のシステムはEPSである。しかし、この出願は、第1のシステム及び第2のシステムが他の既存のシステム又は将来のシステムでもよい可能性を除外しないことが理解されるべきである。第1のシステムがEPSであり、第2のシステムが5GSであるシナリオにおいて、この出願における第1のシステムにおけるモビリティ管理ネットワークエレメントはMMEでもよく、第2のシステムにおけるモビリティ管理ネットワークエレメントはAMFでもよく、第1のシステムにおけるアクセスネットワークネットワークエレメントはEUTRAN又はEUTRAN内の1つ以上のeNodeBでもよく、第2のシステムにおけるアクセスネットワークネットワークエレメントは(R)ANでもよい。明らかに、第1のシステム及び第2のシステムが他の既存のシステム又は将来のシステムである場合、この出願におけるネットワークエレメントは、これらのシステムにおける対応するネットワークエレメントである。この出願における端末は、上記のシステムにおけるUEでもよいことが理解されるべきである。
【０１２５】
当業者にこの出願をよりよく理解してもらうために、端末が5GSからEPSにリダイレクトされる例と、端末がEPSから5GSにリダイレクトされる例とを別々に使用することにより、この出願におけるリダイレクションについて以下に詳細に説明する。具体的には、端末が5GSからEPSにリダイレクトされるシナリオにおいて、第1のシステムは5GSであり、第2のシステムはEPSであり、端末はUEであり、第1のシステムにおけるモビリティ管理ネットワークエレメントはAMFであり、第2のシステムにおけるモビリティ管理ネットワークエレメントはMMEであり、第1のシステムにおけるアクセスネットワークネットワークエレメントはS-RANであり、第2のシステムにおけるアクセスネットワークネットワークエレメントはT-RANである。端末がEPSから5GSにリダイレクトされるシナリオにおいて、端末はUEであり、第1のシステムはEPSであり、第2のシステムは5GSであり、第1のシステムにおけるモビリティ管理ネットワークエレメントはMMEであり、第2のシステムにおけるモビリティ管理ネットワークエレメントはAMFであり、第1のシステムにおけるアクセスネットワークネットワークエレメントはS-RANであり、第2のシステムにおけるアクセスネットワークネットワークエレメントはT-RANである。
【０１２６】
図６及び図７は、この出願によるリダイレクション方法を示す。図６に示す方法は、UEが5GSからEPSにリダイレクトされるシナリオに適用されてもよく、図７に示す方法は、UEがEPSから5GSにリダイレクトされるシナリオに適用されてもよい。さらに、図６及び図７に示す方法は、接続状態のUEに適用されてもよく、AMF及びMMEは、N26インタフェースを使用することにより互いに通信してもよい。しかし、これはこの出願の実施形態では限定されない。図６及び図７に示す方法は、上記のシステムアーキテクチャ100に適用されてもよいことが理解されるべきである。
【０１２７】
図６は、この出願の実施形態によるリダイレクション方法600の概略フローチャートである。図６を参照すると、方法600は、S604〜S612を主に含む。任意選択で、方法600は、S602、S614及び/又はS616を更に含んでもよい。
【０１２８】
S602.UEは、EPSにおけるUEによりサポートされるCIOT特性及びEPSにおけるUEにより優先されるCIOT特性をAMFに送信する。
【０１２９】
具体的には、UEがEPSにおいて対応するCIOT特性をサポートするとき、EPSにおけるUEによりサポートされるCIOT特性及びEPSにおけるUEにより優先されるCIOT特性は、AMFに登録されてもよい。
【０１３０】
任意選択で、EPSにおけるUEによりサポートされるCIOT特性及びEPSにおけるUEにより優先されるCIOT特性は、登録(registration)手順における登録要求メッセージで搬送されてもよい。
【０１３１】
UEは、5GSにおけるUEによりサポートされるCIOT特性及び5GSにおけるUEにより優先されるCIOT特性をAMFに更に送信してもよいことが理解されるべきである。このように、UEは、5GSにおけるUEによりサポートされるCIOT特性及び5GSにおけるUEにより優先されるCIOT特性をAMFに登録してもよい。例えば、5GSにおけるUEによりサポートされるCIOT特性及び5GSにおけるUEにより優先されるCIOT特性は、登録要求メッセージで搬送されてもよい。
【０１３２】
この出願では、EPSにおけるUEによりサポートされるCIOT特性はまた、UEのEPS  CIOT能力とも呼ばれる。同様に、5GSにおけるUEによりサポートされるCIOT特性はまた、UEの5GS  CIOT能力とも呼ばれる。例えば、CIOT特性は、CP最適化及びUP最適化でもよい。UEによりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  UP最適化及びEPS  UP最適化でもよく、5GSにおいて、CIOT特性は、他の特性でもよい。EPSにおけるUEにより優先されるCIOT特性は、EPSにおけるUEによりサポートされるCIOT特性のうち1つ以上である。同様に、5GSにおけるUEにより優先されるCIOT特性は、5GSにおけるUEによりサポートされるCIOT特性のうち1つ以上である。優先されるCIOT特性は、UEが1つ以上のCIOT特性をサポートするとき、UEにより優先的に使用される特性である。例えば、UP最適化及びCP最適化がサポートされるとき、優先される特性はCP最適化である。
【０１３３】
S604.AMFは、EPSにおけるUEによりサポートされるCIOT特性及びEPSにおけるUEにより優先されるCIOT特性に基づいて、UEをEPSにリダイレクトすることを決定する。
【０１３４】
任意選択で、EPSにおけるUEによりサポートされるCIOT特性及びEPSにおけるUEにより優先されるCIOT特性は、ステップS602において取得されてもよく、或いは、他の方式で取得されてもよく、例えば、ハンドオーバ手順において5GSから取得されてもよい。これは、この出願のこの実施形態では限定されない。
【０１３５】
例えば、AMFは、オペレータポリシーに従って、負荷分散状態に基づいて、UEをEPSにリダイレクトすることを決定してもよい。例えば、AMFが過負荷であることを5GSが検出し、UEがEPSにおいてCIOT特性をサポートするとき、AMFはUEをEPSにアクティブにリダイレクトしてもよい。さらに、AMFは、代替として、UEにより5GSにおけるアクセスネットワークネットワークエレメントにより報告されるアクセスを実行するために使用できる無線アクセス技術(radio  access  technology,  RAT)情報、UEが位置するエリア内のターゲットコアネットワーク(core  network,  CN)の負荷情報、UEが5GS及び/又はEPSにアクセスできるか否かを示す加入情報等のうち1つ以上を参照して、UEをEPSにリダイレクトすることを決定してもよい。
【０１３６】
S606.AMFは、リダイレクション指示情報をS-RANに送信する。リダイレクション指示情報は、S-RANに対して、UEを5GSからEPSにリダイレクトすることを指示するために使用される。
【０１３７】
任意選択で、リダイレクション指示情報は、N2メッセージ、例えば、N2通知(notify)メッセージ、初期UEコンテキスト設定(Initial  UE  Context  Setup)メッセージ、UEコンテキスト変更(UE  Context  Modification)メッセージ、UEコンテキスト解放(UE  Context  Release)メッセージ又はダウンリンクトランスポート(Downlink  Transport)メッセージを使用することにより送信されてもよい。
【０１３８】
S608.S-RANは、ハンドオーバ要求メッセージをAMFに送信する。ハンドオーバ要求メッセージは、第1の指示情報を含んでもよく、第1の指示情報は、ハンドオーバ要求メッセージを送信する理由が5GSのリダイレクション要求であることを示すために使用される。
【０１３９】
具体的には、リダイレクション指示情報を受信した後に、S-RANは、AMFがUEをEPSにリダイレクトする必要があることを習得してもよい。次いで、S-RANは、5GSからEPSへのハンドオーバ手順をトリガするために、ハンドオーバ要求(handover  required)メッセージをAMFに送信する。
【０１４０】
任意選択で、第1の指示情報は、具体的には、EPCへのリダイレクト指示(Redirect  to  EPC  Indication)又はCIOT  RAT間リダイレクションInter  CIOT  RAT  Redirectionである。
【０１４１】
S610.AMFは、ハンドオーバ要求メッセージを受信した後に、MMEを選択する。
【０１４２】
ハンドオーバ要求メッセージを送信する理由が5GSのリダイレクション要求であることを習得した後に、AMFは、EPSにおけるUEによりサポートされるCIOT特性及びEPSにおけるUEにより優先されるCIOT特性に基づいてMMEを選択する。
【０１４３】
S612.AMFは、第1のメッセージをMMEに送信する。第1のメッセージは、UEをEPS又はEPCにハンドオーバすることを要求するために使用される。
【０１４４】
S612が実行された後に、5GSにおける関連するネットワークエレメント及びEPSにおける関連するネットワークエレメント、例えば、AMF、S-RAN、MME及びT-RANは、UEをEPSにハンドオーバするために、後続のハンドオーバ手順を実行してもよい。
【０１４５】
任意選択で、第1のメッセージは、再配置要求(relocation  request)メッセージ又は再配置完了(relocation  complete)メッセージでもよい。しかし、この出願のこの実施形態は、これに限定されない。
【０１４６】
結論として、この出願のこの実施形態におけるリダイレクション方法によれば、AMFがEPSへのUEのリダイレクションがトリガされる必要があると決定した後に、AMFは、リダイレクション指示情報をS-RANに送信する。リダイレクション指示情報を受信した後に、S-RANは、ハンドオーバ手順をトリガするために、ハンドオーバ要求メッセージをAMFに送信してもよい。次いで、AMFは、ハンドオーバを開始するために第1のメッセージをMMEに送信し、それにより、UEは5GSからEPSにハンドオーバできる。したがって、この出願のこの実施形態におけるリダイレクション方法によれば、5GSからEPSへのUEのリダイレクションの問題が解決できる。
【０１４７】
任意選択で、第1のメッセージは第2の指示情報を含んでもよく、第2の指示情報は、MMEが第2の指示情報に基づいてUEを5GSにリダイレクトしないことを可能にするために使用される。
【０１４８】
第2の指示情報は、第1の指示情報と同じでもよく或いは異なってもよいことが理解されるべきである。これは、この出願のこの実施形態では限定されない。例えば、第2の指示情報は、具体的には、5GCからのリダイレクト指示(Redirect  from  5GC  Indication)又はCIOT  RAT間リダイレクションInter  CIOT  RAT  Redirectionである。
【０１４９】
対応して、当該方法は、以下のステップを更に含んでもよい。
【０１５０】
S614.MMEは、第2の指示情報に基づいてUEを5GSにリダイレクトすることをスキップする。
【０１５１】
例えば、MMEは、或る期間内(例えば、予め設定された期間内或いはネットワークにより構成された期間内)に、第2の指示情報に基づいて、UEを5GSにリダイレクトしなくてもよい。
【０１５２】
したがって、この出願のこの実施形態におけるリダイレクション方法によれば、UEは、ターゲットシステム(すなわち、EPS又はEPC)にリダイレクトされた後に、ソースシステム(すなわち、5GS又は5GC)に戻るようにリダイレクトされるのを防止できる。
【０１５３】
任意選択で、当該方法は、以下のステップを更に含んでもよい。
【０１５４】
S616.UEは、5GSにおけるUEによりサポートされるCIOT特性及び5GSにおけるUEにより優先されるCIOT特性をMMEに送信する。
【０１５５】
したがって、UEが5GSにリダイレクトされる必要があるとき、MMEは、5GSにおけるUEによりサポートされるCIOT特性及び5GSにおけるUEにより優先されるCIOT特性に基づいて、関連するリダイレクション動作を実行してもよい。
【０１５６】
例えば、UEは、TAU手順においてTAU要求メッセージに5GSにおけるUEによりサポートするCIOT特性及び5GSにおけるUEにより優先されるCIOT特性を追加してもよい。
【０１５７】
S614及びS616の実行順序は、この出願では限定されない点に留意すべきである。
【０１５８】
図７は、この出願の実施形態によるリダイレクション方法700の概略フローチャートである。方法700は、S704〜S712を主に含む。任意選択で、方法700は、S702及び/又はS714を更に含んでもよい。
【０１５９】
S702.UEは、5GSにおけるUEによりサポートされるCIOT特性及び5GSにおけるUEにより優先されるCIOT特性をMMEに送信する。
【０１６０】
具体的には、UEが5GSにおいて対応するCIOT特性をサポートするとき、5GSにおけるUEによりサポートされるCIOT特性及び5GSにおけるUEにより優先されるCIOT特性は、MMEに登録されてもよい。
【０１６１】
任意選択で、5GSにおけるUEによりサポートされるCIOT特性及び5GSにおけるUEにより優先されるCIOT特性は、アタッチ(attach)手順におけるアタッチ要求(attach  request)メッセージ又はTAU手順におけるTAU要求(request)メッセージで搬送されてもよい。
【０１６２】
UEは、EPSにおけるUEによりサポートされるCIOT特性及びEPSにおけるUEにより優先されるCIOT特性をAMFに更に送信してもよいことが理解されるべきである。このように、UEは、EPSにおけるUEによりサポートされるCIOT特性及びEPSにおけるUEにより優先されるCIOT特性をMMEに登録してもよい。例えば、EPSにおけるUEによりサポートされるCIOT特性及びEPSにおけるUEにより優先されるCIOT特性は、アタッチ要求(attach  request)メッセージ又はTAU要求(request)メッセージで搬送されてもよい。
【０１６３】
この出願では、EPSにおけるUEによりサポートされるCIOT特性はまた、UEのEPS  CIOT能力とも呼ばれる。同様に、5GSにおけるUEによりサポートされるCIOT特性はまた、UEの5GS  CIOT能力とも呼ばれる。例えば、CIOT特性は、CP最適化及びUP最適化でもよい。UEによりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  UP最適化及びEPS  UP最適化でもよく、5GSにおいて、CIOT特性は、他の特性でもよい。EPSにおけるUEにより優先されるCIOT特性は、EPSにおけるUEによりサポートされるCIOT特性のうち1つ以上である。同様に、5GSにおけるUEにより優先されるCIOT特性は、5GSにおけるUEによりサポートされるCIOT特性のうち1つ以上である。優先されるCIOT特性は、UEが1つ以上のCIOT特性をサポートするとき、UEにより優先的に使用される特性である。例えば、UP最適化及びCP最適化がサポートされるとき、優先される特性はCP最適化である。
【０１６４】
S704.MMEは、5GSにおけるUEによりサポートされるCIOT特性及び5GSにおけるUEにより優先されるCIOT特性に基づいて、UEを5GSにリダイレクトすることを決定する。
【０１６５】
任意選択で、5GSにおけるUEによりサポートされるCIOT特性及び5GSにおけるUEにより優先されるCIOT特性は、ステップS702において取得されてもよく、或いは、他の方式で取得されてもよく、例えば、ハンドオーバ手順においてEPSから取得されてもよい。これは、この出願のこの実施形態では限定されない。
【０１６６】
例えば、MMEは、オペレータポリシーに従って、負荷分散状態に基づいて、UEを5GSにリダイレクトすることを決定してもよい。例えば、MMEが過負荷であることをEPCが検出し、UEが5GSにおいてCIOT特性をサポートするとき、MMEはUEを5GSにアクティブにリダイレクトしてもよい。さらに、MMEは、代替として、UEによりEPSにおけるアクセスネットワークネットワークエレメントにより報告されるアクセスを実行するために使用できるRAT情報、UEが位置するエリア内のターゲットCNの負荷情報、UEが5GS及び/又はEPSにアクセスできるか否かを示す加入情報等のうち1つ以上を参照して、UEを5GSにリダイレクトすることを決定してもよい。
【０１６７】
S706.MMEは、リダイレクション指示情報をS-RANに送信する。リダイレクション指示情報は、S-RANに対して、UEをEPSから5GSにリダイレクトすることを指示するために使用される。
【０１６８】
任意選択で、リダイレクション指示情報は、S1-APメッセージ、例えば、S1-AP通知(notify)メッセージ、初期UEコンテキスト設定(Initial  UE  Context  Setup)メッセージ、UEコンテキスト変更(UE  Context  Modification)メッセージ、UEコンテキスト解放(UE  Context  Release)メッセージ又はダウンリンクトランスポート(Downlink  Transport)メッセージを使用することにより送信されてもよい。
【０１６９】
S708.S-RANは、ハンドオーバ要求メッセージをMMEに送信する。ハンドオーバ要求メッセージは、第1の指示情報を含んでもよく、第1の指示情報は、ハンドオーバ要求メッセージを送信する理由がEPSのリダイレクション要求であることを示すために使用される。
【０１７０】
具体的には、リダイレクション指示情報を受信した後に、S-RANは、MMEがUEを5GSにリダイレクトする必要があることを習得してもよい。次いで、S-RANは、EPSから5GSへのハンドオーバ手順をトリガするために、ハンドオーバ要求(handover  required)メッセージをMMEに送信する。
【０１７１】
任意選択で、ハンドオーバ要求メッセージは第1の指示情報を含んでもよく、第1の指示情報は、ハンドオーバ要求メッセージを送信する理由がEPSのリダイレクション要求であることを示すために使用される。
【０１７２】
任意選択で、第1の指示情報は、具体的には、5GSへのリダイレクト指示(Redirect  to  5GS  Indication)又はCIOT  RAT間リダイレクションInter  CIOT  RAT  Redirectionである。
【０１７３】
S710.AMFは、ハンドオーバ要求メッセージに基づいて、AMFを選択する。
【０１７４】
ハンドオーバ要求メッセージを送信する理由がEPSのリダイレクション要求であることを習得した後に、MMEは、5GSにおけるUEによりサポートされるCIOT特性及び5GSにおけるUEにより優先されるCIOT特性に基づいてAMFを選択する。
【０１７５】
S712.MMEは、第1のメッセージをAMFに送信する。第1のメッセージは、UEを5GS又は5GCにハンドオーバすることを要求するために使用される。
【０１７６】
S712が実行された後に、5GSにおける関連するネットワークエレメント及びEPSにおける関連するネットワークエレメント、例えば、AMF、S-RAN、MME及びT-RANは、UEを5GSにハンドオーバするために、後続のハンドオーバ手順を実行してもよい。
【０１７７】
任意選択で、第1のメッセージは、再配置要求(relocation  request)メッセージ又は再配置完了(relocation  complete)メッセージでもよい。しかし、この出願のこの実施形態は、これに限定されない。
【０１７８】
結論として、この出願のこの実施形態におけるリダイレクション方法によれば、MMEが5GSへのUEのリダイレクションがトリガされる必要があると決定した後に、MMEは、リダイレクション指示情報をS-RANに送信する。リダイレクション指示情報を受信した後に、S-RANは、ハンドオーバ手順をトリガするために、ハンドオーバ要求メッセージをMMEに送信してもよい。次いで、MMEは、ハンドオーバを開始するために第1のメッセージをAMFに送信し、それにより、UEはEPSから5GSにハンドオーバできる。したがって、この出願のこの実施形態におけるリダイレクション方法によれば、EPSから5GSへのUEのリダイレクションの問題が解決できる。
【０１７９】
任意選択で、第1のメッセージは第2の指示情報を含んでもよく、第2の指示情報は、AMFが第2の指示情報に基づいてUEをEPSにリダイレクトしないことを可能にするために使用される。
【０１８０】
第2の指示情報は、第1の指示情報と同じでもよく或いは異なってもよいことが理解されるべきである。これは、この出願のこの実施形態では限定されない。例えば、第2の指示情報は、具体的には、EPCからのリダイレクト指示(Redirect  from  EPC  Indication)又はCIOT  RAT間リダイレクションInter  CIOT  RAT  Redirectionである。
【０１８１】
対応して、当該方法は、以下のステップを更に含んでもよい。
【０１８２】
S714.AMFは、第2の指示情報に基づいてUEをEPSにリダイレクトすることをスキップする。
【０１８３】
例えば、MAEは、或る期間内(例えば、予め設定された期間内或いはネットワークにより構成された期間内)に、第2の指示情報に基づいて、UEをEPSにリダイレクトしなくてもよい。
【０１８４】
したがって、この出願のこの実施形態におけるリダイレクション方法によれば、UEは、ターゲットシステム(すなわち、5GS)にリダイレクトされた後に、ソースシステム(すなわち、EPS又はEPC)に戻るようにリダイレクトされるのを防止できる。
【０１８５】
任意選択で、当該方法は、以下のステップを更に含んでもよい。
【０１８６】
S716.UEは、EPSにおけるUEによりサポートされるCIOT特性及びEPSにおけるUEにより優先されるCIOT特性をAMFに送信する。
【０１８７】
したがって、UEがEPSにリダイレクトされる必要があるとき、AMFは、UEによりサポートされるCIOT特性及びUEにより優先されるCIOT特性に基づいて、関連するリダイレクション動作を実行してもよい。
【０１８８】
例えば、UEは、登録手順において登録要求メッセージにEPSにおけるUEによりサポートするCIOT特性及びEPSにおけるUEにより優先されるCIOT特性を追加してもよい。
【０１８９】
S714及びS716の実行順序は、この出願では限定されない点に留意すべきである。
【０１９０】
図８及び図９は、この出願による他のリダイレクション方法を示す。図８に示す方法は、UEが5GSからEPSにリダイレクトされるシナリオに適用されてもよく、図９に示す方法は、UEがEPSから5GSにリダイレクトされるシナリオに適用されてもよい。図８及び図９に示す方法は、上記のシステムアーキテクチャ200に適用されてもよいことが理解されるべきである。
【０１９１】
図８は、この出願の実施形態によるリダイレクション方法800の概略フローチャートである。方法800は、S804〜S812を主に含む。任意選択で、方法800は、S802及び/又はS814を更に含んでもよい。
【０１９２】
S802.UEは、EPSにおけるUEによりサポートされるCIOT特性及びEPSにおけるUEにより優先されるCIOT特性をAMFに送信する。
【０１９３】
このステップの詳細については、S602の上記の説明を参照する。詳細はここでは再び説明しない。
【０１９４】
S804.AMFは、EPSにおけるUEによりサポートされるCIOT特性及びEPSにおけるUEにより優先されるCIOT特性に基づいて、UEをEPSにリダイレクトすることを決定する。
【０１９５】
このステップの詳細については、S604の上記の説明を参照する。詳細はここでは再び説明しない。
【０１９６】
S806.AMFは、リダイレクション指示情報をS-RANに送信する。リダイレクション指示情報は、S-RANに対して、UEを5GSからEPSにリダイレクトすることを指示するために使用される。
【０１９７】
このステップの詳細については、S606の上記の説明を参照する。詳細はここでは再び説明しない。
【０１９８】
S808.S-RANは、リダイレクション指示情報をUEに送信する。
【０１９９】
例えば、S-RANは、アクセスネットワーク(access  network,  AN)解放(release)手順においてUEに送信されるAN接続解放(AN  Connection  Release)メッセージのようなメッセージにリダイレクション指示情報を追加してもよい。例えば、AN解放手順は、EPSへのシステム間リダイレクションを介したAN解放(AN  Release  via  inter-system  redirection  to  EPS)の手順である。AN解放(release)手順の詳細については、参考技術を参照する。この出願では、詳細はここでは説明しない。
【０２００】
例えば、S-RANは、ハンドオーバ手順においてUEに送信されるハンドオーバコマンド(Handover  Command)メッセージのようなメッセージにリダイレクション指示情報を追加してもよい。例えば、ハンドオーバ手順は5GSからEPSへのハンドオーバの手順である。5GSからEPSへのハンドオーバの手順の詳細については、参考技術を参照する。この出願では、詳細はここでは説明しない。
【０２０１】
方法600とは異なり、方法800において、リダイレクション指示情報を受信した後に、S-RANは、ハンドオーバ手順をトリガするために、ハンドオーバ要求情報をAMFに送信せず、後続の手順を実行するようにUEをトリガするために、リダイレクション指示情報をUEに送信することが習得できる。
【０２０２】
S810.UEは、EPSを選択するか或いはEPCを選択する。
【０２０３】
具体的には、UEは、EPC  NAS及びEUTRANセル(cell)を選択し、EUTRANセルに接続されたEPCは、UEのCIOT能力及びUEにより優先されるCIOT特性をサポートする。
【０２０４】
S812.UEは、第2のメッセージをEPS又はEPCに送信し、第2のメッセージはEPSにアクセスすることを要求するために使用される。
【０２０５】
具体的には、EPS又はEPCを選択した後に、UEは、EPSにアクセスすることを要求するために、第2のメッセージを選択されたEPS又はEPCにおけるMMEに送信してもよい。次いで、MMEは、第2のメッセージに基づいて後続の対応するアクセス手順を実行してもよく、それにより、UEはEPSにアクセスできる。
【０２０６】
任意選択で、第2のメッセージは、TAU手順におけるTAU要求(TAU  request)メッセージ又はアタッチ手順におけるアタッチ要求(attach  request)メッセージでもよい。対応して、EPS又はEPCは、第2のメッセージに基づいて、後続のTAU手順又はアタッチ手順を実行してもよく、それにより、UEはEPSにアクセスすることが理解されるべきである。
【０２０７】
結論として、この出願のこの実施形態におけるリダイレクション方法によれば、EPSへのUEのリダイレクションがトリガされる必要があると決定した後に、AMFは、リダイレクション指示情報をS-RANに送信し、次いで、S-RANは、リダイレクション指示情報をUEに送信する。リダイレクション指示情報を受信した後に、UEは、第2のメッセージをMMEに送信することにより、EPSアクセス手順を実行してもよく、それにより、UEはEPSにアクセスできる。したがって、この出願のこの実施形態におけるリダイレクション方法によれば、5GSからEPSへのUEのリダイレクションの問題が解決できる。
【０２０８】
任意選択で、第2のメッセージは第3の指示情報を含み、第3の指示情報は、第2のメッセージを送信する理由が5GSのリダイレクション要求であることを示すために使用され、それにより、MMEは、第3の指示情報に基づいてUEを5GSにリダイレクトしない。第3の指示情報は、方法600に記載の第1の指示情報又は第2の指示情報と同じでもよく或いは異なってもよい。これは、この出願のこの実施形態では限定されない。例えば、第3の指示情報は、具体的には、5GCからのリダイレクト指示(Redirect  from  5GC  Indication)又はCIOT  RAT間リダイレクションinter  CIOT  RAT  redirectionである。
【０２０９】
対応して、当該方法は、以下のステップを更に含んでもよい。
【０２１０】
S814.MMEは、第3の指示情報に基づいてUEを5GS又は5GCにリダイレクトしない。
【０２１１】
例えば、MMEは、或る期間内(例えば、予め設定された期間内或いはネットワークにより構成された期間内)に、第3の指示情報に基づいて、UEを5GS又は5GCに戻るようにリダイレクトしなくてもよい。
【０２１２】
したがって、この出願のこの実施形態におけるリダイレクション方法によれば、UEは、ターゲットシステム(すなわち、EPS)にリダイレクトされた後に、ソースシステム(すなわち、5GS又は5GC)に戻るようにリダイレクトされるのを防止できる。
【０２１３】
任意選択で、この出願の実施形態では、UEは、第2のメッセージに5GSにおけるUEによりサポートされるCIOT特性及び5GSにおけるUEにより優先されるCIOT特性を追加しなくてもよく、或いは、5GSのCIOT能力を無効にしてもよい。
【０２１４】
したがって、この出願のこの実施形態におけるリダイレクション方法によれば、UEは、ターゲットシステム(すなわち、EPS)にリダイレクトされた後に、ソースシステム(すなわち、5GS又は5GC)に戻るようにリダイレクトされるのを防止できる。
【０２１５】
任意選択で、第2のメッセージは、5GSにおけるUEによりサポートされるCIOT特性及び5GSにおけるUEにより優先されるCIOT特性を更に含んでもよい。
【０２１６】
したがって、UEが5GSにリダイレクトされる必要があるとき、MMEは、5GSにおけるUEによりサポートされるCIOT特性及び5GSにおけるUEにより優先されるCIOT特性に基づいて、関連するリダイレクション動作を実行してもよい。
【０２１７】
図９は、この出願の実施形態によるリダイレクション方法900の概略フローチャートである。方法900は、S904〜S912を主に含む。任意選択で、方法900は、S902及び/又はS914を更に含んでもよい。
【０２１８】
S902.UEは、5GSにおけるUEによりサポートされるCIOT特性及び5GSにおけるUEにより優先されるCIOT特性をMMEに送信する。
【０２１９】
このステップの詳細については、S702の上記の説明を参照する。詳細はここでは再び説明しない。
【０２２０】
S904.MMEは、5GSにおけるUEによりサポートされるCIOT特性及び5GSにおけるUEにより優先されるCIOT特性に基づいて、UEを5GSにリダイレクトすることを決定する。
【０２２１】
このステップの詳細については、S704の上記の説明を参照する。詳細はここでは再び説明しない。
【０２２２】
S906.MMEは、リダイレクション指示情報をS-RANに送信する。リダイレクション指示情報は、S-RANに対して、UEをEPSから5GSにリダイレクトすることを指示するために使用される。
【０２２３】
このステップの詳細については、S706の上記の説明を参照する。詳細はここでは再び説明しない。
【０２２４】
S908.S-RANは、リダイレクション指示情報をUEに送信する。
【０２２５】
例えば、S-RANは、S1解放手順においてUEに送信されるRRC接続解放(RRC  Connection  Release)メッセージのようなメッセージにリダイレクション指示情報を追加してもよい。例えば、S1解放手順の詳細については、参考技術を参照する。この出願では、詳細はここでは説明しない。
【０２２６】
例えば、S-RANは、ハンドオーバ手順においてUEに送信されるハンドオーバコマンド(Handover  Command)メッセージのようなメッセージにリダイレクション指示情報を追加してもよい。例えば、ハンドオーバ手順はEPSから5GSへのハンドオーバの手順である。EPSから5GSへのハンドオーバの手順の詳細については、参考技術を参照する。この出願では、詳細はここでは説明しない。
【０２２７】
方法700とは異なり、方法900において、リダイレクション指示情報を受信した後に、S-RANは、ハンドオーバ手順をトリガするために、ハンドオーバ要求情報をMMEに送信せず、アクセス手順を実行するようにUEをトリガするために、リダイレクション指示情報をUEに送信することが習得できる。
【０２２８】
S910.UEは、5GS又は5GCを選択する。
【０２２９】
具体的には、UEは、5GC  NAS及びNRセルを選択し、NRセルに接続された5GCは、UEのCIOT能力及びUEにより優先されるCIOT特性をサポートする。
【０２３０】
S912.UEは、第2のメッセージを5GS又は5GCに送信し、第2のメッセージは5GSにアクセスすることを要求するために使用される。
【０２３１】
具体的には、5GS又は5GCを選択した後に、UEは、5GSにアクセスすることを要求するために、第2のメッセージを選択された5GS又は5GCにおけるAMFに送信してもよい。次いで、AMFは、第2のメッセージに基づいて後続の対応するアクセス手順を実行してもよく、それにより、UEは5GSにアクセスできる。
【０２３２】
任意選択で、第2のメッセージは、登録手順における登録要求(registration  request)メッセージでもよい。対応して、5GS又は5GCは、第2のメッセージに基づいて、後続の登録手順を実行し、それにより、UEは5GSにアクセスすることが理解されるべきである。
【０２３３】
結論として、この出願のこの実施形態におけるリダイレクション方法によれば、5GSへのUEのリダイレクションがトリガされる必要があると決定した後に、MMEは、リダイレクション指示情報をS-RANに送信し、次いで、S-RANは、リダイレクション指示情報をUEに送信する。リダイレクション指示情報を受信した後に、UEは、第2のメッセージをAMFに送信することにより、5GSアクセス手順を実行してもよく、それにより、UEは5GSにアクセスできる。したがって、この出願のこの実施形態におけるリダイレクション方法によれば、EPSから5GSへのUEのリダイレクションの問題が解決できる。
【０２３４】
任意選択で、第2のメッセージは第3の指示情報を含み、第3の指示情報は、第2のメッセージを送信する理由がEPSのリダイレクション要求であることを示すために使用され、それにより、AMFは、第3の指示情報に基づいてUEをEPCにリダイレクトしない。第3の指示情報は、方法700に記載の第1の指示情報又は第2の指示情報と同じでもよく或いは異なってもよい。これは、この出願のこの実施形態では限定されない。例えば、第3の指示情報は、具体的には、EPCからのリダイレクト指示(Redirect  from  EPC  Indication)又はCIOT  RAT間リダイレクションinter  CIOT  RAT  redirectionである。
【０２３５】
対応して、当該方法は、以下のステップを更に含んでもよい。
【０２３６】
S914.AMFは、第3の指示情報に基づいてUEをEPS又はEPCにリダイレクトしない。
【０２３７】
例えば、ＡＭＦは、或る期間内(例えば、予め設定された期間内或いはネットワークにより構成された期間内)に、第3の指示情報に基づいて、UEをEPS又はEPCに戻るようにリダイレクトしなくてもよい。
【０２３８】
したがって、この出願のこの実施形態におけるリダイレクション方法によれば、UEは、ターゲットシステム(すなわち、5GS)にリダイレクトされた後に、ソースシステム(すなわち、EPS又はEPC)に戻るようにリダイレクトされるのを防止できる。
【０２３９】
任意選択で、この出願の実施形態では、UEは、第2のメッセージにEPSにおけるUEによりサポートされるCIOT特性及びEPSにおけるUEにより優先されるCIOT特性を追加しなくてもよく、或いは、5GSのCIOT能力を無効にしてもよい。
【０２４０】
したがって、この出願のこの実施形態におけるリダイレクション方法によれば、UEは、ターゲットシステム(すなわち、EPS)にリダイレクトされた後に、ソースシステム(すなわち、EPS又はEPC)に戻るようにリダイレクトされるのを防止できる。
【０２４１】
任意選択で、第2のメッセージは、EPSにおけるUEによりサポートされるCIOT特性及びEPSにおけるUEにより優先されるCIOT特性を更に含んでもよい。
【０２４２】
したがって、UEがEPSにリダイレクトされる必要があるとき、AMFは、EPSにおけるUEによりサポートされるCIOT特性及びEPSにおけるUEにより優先されるCIOT特性に基づいて、関連するリダイレクション動作を実行してもよい。
【０２４３】
図１０及び図１１は、この出願による更に他のリダイレクション方法を示す。図１０に示す方法は、UEが5GSからEPSにリダイレクトされるシナリオに適用されてもよく、図１１に示す方法は、UEがEPSから5GSにリダイレクトされるシナリオに適用されてもよい。図１０及び図１１に示す方法は、上記のシステムアーキテクチャ200に適用されてもよいことが理解されるべきである。
【０２４４】
図１０は、この出願の実施形態によるリダイレクション方法1000の概略フローチャートである。方法1000は、S1004〜S1012を主に含む。任意選択で、方法1000は、S1002及び/又はS1014を更に含んでもよい。
【０２４５】
S1002.UEは、EPSにおけるUEによりサポートされるCIOT特性及びEPSにおけるUEにより優先されるCIOT特性をAMFに送信する。
【０２４６】
このステップの詳細については、S602の上記の説明を参照する。詳細はここでは再び説明しない。
【０２４７】
S1004.AMFは、EPSにおけるUEによりサポートされるCIOT特性及びEPSにおけるUEにより優先されるCIOT特性に基づいて、UEをEPSにリダイレクトすることを決定する。
【０２４８】
このステップの詳細については、S604又はS804の上記の説明を参照する。詳細はここでは再び説明しない。
【０２４９】
S1006.AMFは、リダイレクション指示情報をUEに送信する。リダイレクション指示情報は、UEに対して、EPSにリダイレクトすることを指示するために使用される。
【０２５０】
任意選択で、リダイレクション指示情報は、登録解除、登録又はUE構成(configuration)のような手順においてAMFによりUEに送信される登録応答メッセージ、登録解除要求メッセージ又はUE構成更新コマンドメッセージのようなNASメッセージで搬送されてもよい。
【０２５１】
方法800では、AMFは、まず、N2メッセージを使用することによりリダイレクション指示情報をS-RANに送信し、次いで、S-RANは、AN解放(release)手順を使用することによりリダイレクション指示情報をUEに送信することが習得できる。しかし、方法1000では、リダイレクション指示情報はNASメッセージを使用することにより送信される。
【０２５２】
S1008.UEは、EPSを選択するか或いはEPCを選択する。
【０２５３】
具体的には、UEは、EPC  NAS及びEUTRANセル(cell)を選択する。EUTRANセルに接続されたEPCは、UEのCIOT能力及びUEにより優先されるCIOT特性をサポートする。S1010.UEは、第2のメッセージをEPS又はEPCに送信し、第2のメッセージは、EPS又はEPCにアクセスすることを要求するために使用される。
【０２５４】
このステップの詳細については、S812の上記の説明を参照する。詳細はここでは再び説明しない。
【０２５５】
結論として、この出願のこの実施形態におけるリダイレクション方法によれば、EPSへのUEのリダイレクションがトリガされる必要があると決定した後に、AMFは、リダイレクション指示情報をUEに送信する。リダイレクション指示情報を受信した後に、UEは、EPSを選択し、EPSアクセス手順を実行し、それにより、UEはEPSにアクセスできる。したがって、この出願のこの実施形態におけるリダイレクション方法によれば、5GSからEPSへのUEのリダイレクションの問題が解決できる。
【０２５６】
任意選択で、この出願の実施形態では、第2のメッセージは第3の指示情報を含んでもよい。第3の指示情報の詳細については、方法800における説明を参照する。詳細はここでは再び説明しない。
【０２５７】
対応して、当該方法は、S1012を更に含んでもよい。MMEは、第3の指示情報に基づいてUEを5GSにリダイレクトしない。
【０２５８】
例えば、MMEは、或る期間内(例えば、予め設定された期間内)或いはネットワークにより構成された期間内に、第3の指示情報に基づいて、UEを5GS又は5GCに戻るようにリダイレクトしなくてもよい。
【０２５９】
したがって、この出願のこの実施形態におけるリダイレクション方法によれば、UEは、ターゲットシステム(EPS又はEPC)にリダイレクトされた後に、ソースシステム(5GS又は5GC)に戻るようにリダイレクトされるのを防止できる。
【０２６０】
任意選択で、第2のメッセージは、5GSにおけるUEによりサポートされるCIOT特性及び5GSにおけるUEにより優先されるCIOT特性を更に含んでもよい。
【０２６１】
したがって、UEが5GSにリダイレクトされる必要があるとき、MMEは、5GSにおけるUEによりサポートされるCIOT特性及び5GSにおけるUEにより優先されるCIOT特性に基づいて、関連するリダイレクション動作を実行してもよい。
【０２６２】
任意選択で、この出願の他の実施形態では、UEは、5GSにおけるUEによりサポートされるCIOT特性を無効にしてもよい。したがって、UEは、5GSに戻るようにリダイレクトされない。
【０２６３】
任意選択で、この出願の更に他の実施形態では、第2のメッセージは、5GSにおけるUEによりサポートされるCIOT特性又は5GSにおけるUEにより優先されるCIOT特性を含まない。このように、MMEは、5GS又は5GCに戻るようにUEをリダイレクトしない。
【０２６４】
図１１は、この出願の実施形態によるリダイレクション方法1100の概略フローチャートである。方法1100は、S1104〜S1112を主に含む。任意選択で、方法1100は、S1102及び/又はS1114を更に含んでもよい。
【０２６５】
S1102.UEは、5GSにおけるUEによりサポートされるCIOT特性及び5GSにおけるUEにより優先されるCIOT特性をMMEに送信する。
【０２６６】
このステップの詳細については、S702の上記の説明を参照する。詳細はここでは再び説明しない。
【０２６７】
S1104.MMEは、5GSにおけるUEによりサポートされるCIOT特性及び5GSにおけるUEにより優先されるCIOT特性に基づいて、UEを5GSにリダイレクトすることを決定する。
【０２６８】
このステップの詳細については、S704又はS904の上記の説明を参照する。詳細はここでは再び説明しない。
【０２６９】
S1106.MMEは、リダイレクション指示情報をUEに送信する。リダイレクション指示情報は、UEに対して、5GSにリダイレクトすることを指示するために使用される。
【０２７０】
任意選択で、リダイレクション指示情報は、デタッチ(detach)、アタッチ(attach)又はTAUのような手順においてMMEによりUEに送信されるアタッチ応答メッセージ、デタッチ要求メッセージ又はTAU応答メッセージのようなNASメッセージで搬送されてもよい。
【０２７１】
方法900では、MMEは、まず、A1-APメッセージを使用することによりリダイレクション指示情報をS-RANに送信し、次いで、S-RANは、S1解放手順を使用することによりリダイレクション指示情報をUEに送信することが習得できる。しかし、方法1100では、リダイレクション指示情報はNASメッセージを使用することにより送信される。
【０２７２】
S1108.UEは、5GS又は5GCを選択する。
【０２７３】
具体的には、UEは、5GC  NAS及びNRセルを選択する。NRセルに接続された5GCは、UEのCIOT能力及びUEにより優先されるCIOT特性をサポートする。
【０２７４】
S1110.UEは、第2のメッセージを5GS又は5GCに送信し、第2のメッセージは、5GSにアクセスすることを要求するために使用される。
【０２７５】
このステップの詳細については、S912の上記の説明を参照する。詳細はここでは再び説明しない。
【０２７６】
結論として、この出願のこの実施形態におけるリダイレクション方法によれば、5GSへのUEのリダイレクションがトリガされる必要があると決定した後に、MMEは、リダイレクション指示情報をUEに送信する。リダイレクション指示情報を受信した後に、UEは、5GSを選択し、5GSアクセス手順を実行し、それにより、UEは5GS又は5GCにアクセスできる。したがって、この出願のこの実施形態におけるリダイレクション方法によれば、EPSから5GSへのUEのリダイレクションの問題が解決できる。
【０２７７】
任意選択で、この出願の実施形態では、第2のメッセージは第3の指示情報を含んでもよい。第3の指示情報の詳細については、方法900における説明を参照する。詳細はここでは再び説明しない。
【０２７８】
対応して、当該方法は、S1112を更に含んでもよい。AMFは、第3の指示情報に基づいてUEをEPSにリダイレクトしない。
【０２７９】
例えば、AMFは、或る期間内(例えば、予め設定された期間内)或いはネットワークにより構成された期間内に、第3の指示情報に基づいて、UEをEPS又はEPCにリダイレクトしなくてもよい。
【０２８０】
したがって、この出願のこの実施形態におけるリダイレクション方法によれば、UEは、ターゲットシステム(EPS又はEPC)にリダイレクトされた後に、ソースシステム(5GS又は5GC)に戻るようにリダイレクトされるのを防止できる。
【０２８１】
任意選択で、第2のメッセージは、EPSにおけるUEによりサポートされるCIOT特性及びEPSにおけるUEにより優先されるCIOT特性を更に含んでもよい。したがって、UEがEPSにリダイレクトされる必要があるとき、AMFは、EPSにおけるUEによりサポートされるCIOT特性及びEPSにおけるUEにより優先されるCIOT特性に基づいて、関連するリダイレクション動作を実行してもよい。
【０２８２】
任意選択で、この出願の他の実施形態では、UEは、EPSにおけるUEによりサポートされるCIOT特性を無効にしてもよい。したがって、UEは、EPSに戻るようにリダイレクトされない。
【０２８３】
任意選択で、この出願の更に他の実施形態では、第2のメッセージは、EPSにおけるUEによりサポートされるCIOT特性又はEPSにおけるUEにより優先されるCIOT特性を含まない。このように、AMFEは、EPSに戻るようにUEをリダイレクトしない。
【０２８４】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定と解釈されるべきでない。
【０２８５】
上記に、図１〜図１１を参照して、この出願の実施形態によるリダイレクション方法について詳細に説明した。以下に、図１２〜図１４を参照して、この出願の実施形態による装置について詳細に説明する。
【０２８６】
図１２は、この出願の実施形態による通信装置1200を示す。通信装置1200は、第1のシステムにおける上記のモビリティ管理ネットワークエレメントでもよい。通信装置1200は、処理ユニット1210と、送信ユニット1220と、受信ユニット1230とを含む。
【０２８７】
処理ユニット1210は、第2のシステムにおける端末によりサポートされるセルラーのモノのインターネットCIOT特性及び第2のシステムにおける端末により優先されるCIOT特性に基づいて、端末を第2のシステムにリダイレクトすることを決定するように構成される。
【０２８８】
送信ユニット1220は、リダイレクション指示情報を第1のシステムにおけるアクセスネットワークネットワークエレメントに送信するように構成され、リダイレクション指示情報は、第1のシステムにおけるアクセスネットワークネットワークエレメントに対して、端末を第1のシステムから第2のシステムにリダイレクトするように指示するために使用される。
【０２８９】
受信ユニット1230は、第1のシステムにおけるアクセスネットワークネットワークエレメントからハンドオーバ要求メッセージを受信するように構成され、ハンドオーバ要求メッセージは、第1の指示情報を含み、第1の指示情報は、ハンドオーバ要求メッセージを送信する理由が第1のシステムのリダイレクション要求であることを示すために使用される。
【０２９０】
処理ユニット1210は、ハンドオーバ要求メッセージに基づいて第2のシステムにおけるモビリティ管理ネットワークエレメントを選択するように更に構成される。
【０２９１】
送信ユニット1220は、第1のメッセージを第2のシステムにおけるモビリティ管理ネットワークエレメントに送信するように更に構成され、第1のメッセージは、端末を第2のシステムにハンドオーバすることを要求するために使用される。
【０２９２】
任意選択で、第1のメッセージは第2の指示情報を含み、第2の指示情報は、第2のシステムにおけるモビリティ管理ネットワークエレメントが第2の指示情報に基づいて端末を第1のシステムにリダイレクトしないことを可能にするために使用される。
【０２９３】
ここでの通信装置1200は、機能ユニットの形式で提示されることが理解されるべきである。ここでの「ユニット」という用語は、特定用途向け集積回路(application  specific  integrated  circuit,  ASIC)、電子回路、1つ以上のソフトウェア又はファームウェアプログラムを実行するように構成されたプロセッサ(例えば、共有プロセッサ、専用プロセッサ又はグループプロセッサ)、メモリ、合併された論理回路及び/又は上記の機能をサポートする他の適切なコンポーネントでもよい。任意選択の例では、当業者は、通信装置1200が、具体的には、上記の方法の実施形態におけるAMF又はMMEでもよいことを理解し得る。通信装置1200は、上記の方法の実施形態におけるAMF又はMMEに対応する手順及び/又はステップを実行するように構成されてもよい。繰り返しを回避するために、詳細はここでは再び説明しない。
【０２９４】
図１３は、この出願の実施形態による通信装置1300を示す。通信装置1300は、上記のUE又は端末でもよく、或いは、チップでもよい。通信装置1300は、受信ユニット1310と、処理ユニット1320と、送信ユニット1330とを含む。
【０２９５】
受信ユニット1210は、リダイレクション指示情報を受信するように構成され、リダイレクション指示情報は、通信装置に対して、第2のシステムにリダイレクトするように指示するために使用され、第2のシステムへの通信装置のリダイレクションは、第2のシステムにおける通信装置によりサポートされるセルラーのモノのインターネットCIOT特性及び第2のシステムにおける通信装置により優先されるCIOT特性に基づいて決定される。
【０２９６】
処理ユニット1320は、リダイレクション指示情報に基づいて、第2のシステムを選択するように構成される。
【０２９７】
送信ユニット1330は、第2のメッセージを第2のシステムに送信するように構成され、第2のメッセージは、第2のシステムにアクセスすることを要求するために使用される。
【０２９８】
任意選択で、受信ユニット1310は、
第1のシステムにおけるモビリティ管理ネットワークエレメントからリダイレクション指示情報を受信するか、或いは、
第1のシステムにおけるアクセスネットワークネットワークエレメントからリダイレクション指示情報を受信するように具体的に構成される。
【０２９９】
任意選択で、第2のメッセージは第3の指示情報を含み、第3の指示情報は、第2のメッセージを送信する理由が第1のシステムのリダイレクション要求であることを示すために使用され、それにより、第2のシステムにおけるモビリティ管理ネットワークエレメントは、第3の指示情報に基づいて通信装置を第1のシステムにリダイレクトしない。
【０３００】
任意選択で、通信装置は、第1のシステムにおける通信装置によりサポートされるCIOT特性を無効にする。
【０３０１】
任意選択で、第2のメッセージは、第1のシステムにおける通信装置によりサポートされるCIOT特性又は第1のシステムにおける通信装置により優先されるCIOT特性を含まず、それにより、第2のシステムは、第2のメッセージに基づいて、通信装置を第1のシステムにリダイレクトしない。
【０３０２】
ここでの通信装置1300は、機能ユニットの形式で提示されることが理解されるべきである。ここでの「ユニット」という用語は、特定用途向け集積回路(application  specific  integrated  circuit,  ASIC)、電子回路、1つ以上のソフトウェア又はファームウェアプログラムを実行するように構成されたプロセッサ(例えば、共有プロセッサ、専用プロセッサ又はグループプロセッサ)、メモリ、合併された論理回路及び/又は上記の機能をサポートする他の適切なコンポーネントでもよい。任意選択の例では、当業者は、通信装置1300が、具体的には、上記の方法の実施形態におけるUEでもよいことを理解し得る。通信装置1300は、上記の方法の実施形態におけるUEに対応する手順及び/又はステップを実行するように構成されてもよい。繰り返しを回避するために、詳細はここでは再び説明しない。
【０３０３】
上記の解決策における通信装置1200及び通信装置1300は、上記の方法におけるAMF/MME及びUEにより実行される対応するステップを実現する機能を有する。機能は、ハードウェアにより実現されてもよく、或いは、対応するソフトウェアを実行することによりハードウェアにより実現されてもよい。ハードウェア又はソフトウェアは、上記の機能に対応する1つ以上のモジュールを含む。例えば、方法の実施形態における送信動作、受信動作及び関連する処理動作をそれぞれ実行するように、送信ユニットは送信機に置き換えられてもよく、受信ユニットは受信機に置き換えられてもよく、決定ユニットのような他のユニットはプロセッサに置き換えられよい。
【０３０４】
この出願の実施形態では、図１２及び図１３における通信装置は、代替として、チップ又はチップシステム、例えば、システムオンチップ(system  on  chip,  SoC)でもよい。対応して、受信ユニット及び送信ユニットは、チップのトランシーバ回路でもよい。これはここでは限定されない。
【０３０５】
この出願の実施形態における図１２の通信装置又は図１３の通信装置は、図１４の装置1400を使用することにより実現されてもよく、上記の方法の実施形態におけるMME/AMF及びUEに対応するステップ及び/又は手順を実行するように構成されてもよいことが理解されるべきである。
【０３０６】
図１４は、この出願の実施形態による装置1400を示す。装置1400は、プロセッサ1410と、トランシーバ1420と、メモリ1430とを含む。プロセッサ1410、トランシーバ1420及びメモリ1430は、内部接続チャネルを使用することにより互いに通信する。メモリ1430は、命令を記憶するように構成される。プロセッサ1410は、メモリ1430に記憶された命令を実行し、信号を送信するように及び/又は信号を受信するようにトランシーバ1420を制御するように構成される。
【０３０７】
この出願の可能な実現方式では、装置1400が第1のシステムにおけるモビリティ管理ネットワークエレメントである場合、プロセッサ1410は、第2のシステムにおける端末によりサポートされるセルラーのモノのインターネットCIOT特性及び第2のシステムにおける端末により優先されるCIOT特性に基づいて、端末を第2のシステムにリダイレクトすることを決定し、トランシーバ1420を使用することにより、リダイレクション指示情報を第1のシステムにおけるアクセスネットワークネットワークエレメントに送信し、リダイレクション指示情報は、第1のシステムにおけるアクセスネットワークネットワークエレメントに対して、端末を第1のシステムから第2のシステムにリダイレクトするように指示するために使用され、トランシーバ1420を使用することにより、第1のシステムにおけるアクセスネットワークネットワークエレメントからハンドオーバ要求メッセージを受信し、ハンドオーバ要求メッセージは、第1の指示情報を含み、第1の指示情報は、ハンドオーバ要求メッセージを送信する理由が第1のシステムのリダイレクション要求であることを示すために使用され、ハンドオーバ要求メッセージに基づいて第2のシステムにおけるモビリティ管理ネットワークエレメントを選択し、トランシーバ1420を使用することにより、第1のメッセージを第2のシステムにおけるモビリティ管理ネットワークエレメントに送信し、第1のメッセージは、端末を第2のシステムにハンドオーバすることを要求するために使用される、ように構成される。
【０３０８】
通信装置1400が端末である場合、プロセッサ1410は、トランシーバ1420を使用することにより、リダイレクション指示情報を受信し、リダイレクション指示情報は、通信装置に対して、第2のシステムにリダイレクトするように指示するために使用され、第2のシステムへの通信装置のリダイレクションは、第2のシステムにおける通信装置によりサポートされるセルラーのモノのインターネットCIOT特性及び第2のシステムにおける通信装置により優先されるCIOT特性に基づいて決定され、リダイレクション指示情報に基づいて、第2のシステムを選択し、トランシーバ1420を使用することにより、第2のメッセージを第2のシステムに送信し、第2のメッセージは、第2のシステムにアクセスすることを要求するために使用される、ように構成される。
【０３０９】
任意選択で、メモリ1430は、読み取り専用メモリ及びランダムアクセスメモリを含み、プロセッサのための命令及びデータを提供してもよい。メモリの一部は、不揮発性ランダムアクセスメモリを更に含んでもよい。例えば、メモリは、デバイスタイプの情報を更に記憶してもよい。プロセッサ1410は、メモリに記憶された命令を実行するように構成されてもよい。さらに、プロセッサ1410がメモリに記憶された命令を実行したとき、プロセッサ1410は、上記の方法の実施形態における端末又は第1のシステムにおけるモビリティ管理ネットワークエレメントに対応するステップ及び/又は手順を実行するように構成される。
【０３１０】
トランシーバは、送信機及び受信機を含んでもよいことが理解されるべきである。トランシーバは、アンテナを更に含んでもよい。1つ以上のアンテナが存在してもよい。メモリは、別個のコンポーネントでもよく、或いは、プロセッサに統合されてもよい。上記のコンポーネントのそれぞれ又はいくつかのコンポーネントは、実現のためのチップに統合されてもよく、例えば、実現のためにベースバンドチップに統合されてもよい。
【０３１１】
この出願のこの実施形態では、図１４におけるトランシーバは、代替として、通信インタフェースでもよい。これはここでは限定されない。
【０３１２】
この出願の実施形態では、理解を容易にするために、複数の例が説明に使用される。しかし、これらの例は単なる例であり、これは、これらの例がこの出願を実現するための最適な実現方式であることを意味しない。
【０３１３】
この出願の実施形態では、説明を容易にするために、第1のメッセージ、第2のメッセージ及び様々な他のメッセージの名称が使用される。しかし、これらのメッセージは、搬送される必要がある内容又は実現される機能を記述するための例としてのみ使用される。メッセージの具体的な名称は、この出願に対する限定を構成しない。例えば、メッセージは、代替として、要求メッセージ及び応答メッセージでもよい。これらのメッセージは、いくつかの特定のメッセージでもよく、或いは、メッセージ内のいくつかのフィールドでもよい。これらのメッセージは、代替として、様々なサービス動作を表してもよい。
【０３１４】
この出願の実施形態における上記の装置内のプロセッサは、中央処理装置(central  processing  unit,  CPU)でもよく、或いは、プロセッサは、他の汎用プロセッサ、デジタルシグナルプロセッサ(digital  signal  processor,  DSP)、特定用途向け集積回路(application  specific  integrated  circuit,  ASIC)、フィールドプログラマブルゲートアレイ(field-programmable  gate  array,  FPGA)又は他のプログラマブルロジックデバイス、ディスクリートゲート又はトランジスタ論理デバイス、ディスクリートハードウェアコンポーネント等でもよいことが理解されるべきである。汎用プロセッサは、マイクロプロセッサでもよく、或いは、プロセッサは、いずれかの従来のプロセッサ等でもよい。
【０３１５】
実現プロセスにおいて、上記の方法におけるステップは、プロセッサ内のハードウェア集積論理回路を使用することにより、或いは、ソフトウェアの形式の命令を使用することにより実現できる。この出願の実施形態を参照して開示される方法のステップは、ハードウェアプロセッサにより直接的に実行されてもよく、或いは、プロセッサ内のハードウェアとソフトウェアユニットとの組み合わせを使用することにより実行されてもよい。ソフトウェアユニットは、ランダムアクセスメモリ、フラッシュメモリ、読み取り専用メモリ、プログラム可能読み取り専用メモリ、電気的消去可能なプログラム可能メモリ、レジスタ等のような、当該技術分野における成熟した記憶媒体に位置してもよい。記憶媒体はメモリに位置し、プロセッサはメモリ内の命令を実行し、プロセッサのハードウェアと組み合わせて上記の方法のステップを完了する。繰り返しを回避するために、詳細はここでは再び説明しない。
【０３１６】
上記の実施形態の全部又は一部は、ソフトウェア、ハードウェア、ファームウェア又はこれらのいずれかの組み合わせを使用することにより実現されてもよい。ソフトウェアが実施形態を実現するために使用されるとき、実施形態は、コンピュータプログラム製品の形式で完全に或いは部分的に実現されてもよい。コンピュータプログラム製品は、1つ以上のコンピュータ命令を含む。コンピュータプログラム命令がコンピュータ上にロードされて実行されたとき、この出願の実施形態による手順又は機能が全部或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いは、コンピュータ読み取り可能記憶媒体から他のコンピュータ読み取り可能記憶媒体に送信されてもよい。例えば、コンピュータ命令は、有線(例えば、同軸ケーブル、光ファイバ又はデジタル加入者線(digital  subscriber  line,  DSL))又は無線(例えば、赤外線、無線又はマイクロ波)方式で、ウェブサイト、コンピュータ、サーバ又はデータセンタから、他のウェブサイト、コンピュータ、サーバ又はデータセンタに送信されてもよい。コンピュータ読み取り可能記憶媒体は、コンピュータによりアクセス可能ないずれかの使用可能媒体、又は1つ以上の使用可能媒体を統合するサーバ又はデータセンタのようなデータ記憶デバイスでもよい。使用可能媒体は、磁気媒体(例えば、フロッピーディスク、ハードディスク又は磁気テープ)、光媒体(例えば、DVD)、半導体媒体(例えば、ソリッドステートドライブ(solid  state  disk,  SSD))等でもよい。
【０３１７】
当業者は、この明細書に開示された実施形態に記載の例と組み合わせて、ユニット及びアルゴリズムステップが電子ハードウェア又はコンピュータソフトウェアと電子ハードウェアとの組み合わせにより実現できることを認識し得る。機能がハードウェアにより実行されるかソフトウェアにより実行されるかは、技術的解決策の特定の用途及び設計制約条件に依存する。当業者は、特定の用途毎に、記載の機能を実現するために異なる方法を使用し得るが、実現方式がこの出願の範囲を超えると考えられるべきでない。
【０３１８】
便宜上で簡潔な説明の目的で、上記のシステム、装置及びユニットの詳細な動作プロセスについては、上記の方法の実施形態における対応するプロセスを参照することが当業者により明確に理解され得る。詳細はここでは再び説明しない。
【０３１９】
この出願において提供されるいくつかの実施形態では、開示のシステム、装置及び方法は、他の方式で実現されてもよいことが理解されるべきである。例えば、記載の装置の実施形態は単なる例である。例えば、ユニットへの分割は、単に論理的な機能分割であり、実際の実現方式では他の分割でもよい。例えば、複数のユニット又はコンポーネントは結合されてもよく或いは他のシステムに統合されてもよく、或いは、いくつかの特徴は無視されてもよく或いは実行されなくてもよい。さらに、表示又は議論された相互結合、直接結合又は通信接続は、いくつかのインタフェースを使用することにより実現されてもよい。装置又はユニットの間の間接結合又は通信接続は、電子的、機械的或いは他の形式で実現されてもよい。
【０３２０】
別々の部分として記載されたユニットは、物理的に分離されてもよく或いは分離されなくてもよく、ユニットとして表示された部分は、物理的なユニットでもよく物理的なユニットでなくてもよく、1つの位置に配置されてもよく或いは複数のネットワークユニット上に分散されてもよい。ユニットの一部又は全部は、実施形態の解決策の目的を達成するために、実際の要件に基づいて選択されてもよい。
【０３２１】
さらに、この出願の実施形態における機能ユニットは、1つの処理ユニットに統合されてもよく、或いは、ユニットのそれぞれが物理的に単独で存在してもよく、或いは、2つ以上のユニットが1つのユニットに統合されてもよい。
【０３２２】
機能がソフトウェア機能ユニットの形式で実現され、独立した製品として販売又は使用されるとき、機能は、コンピュータ読み取り可能記憶媒体に記憶されてもよい。このような理解に基づいて、この出願の技術的解決策は本質的に、或いは、従来技術に寄与する部分又は技術的解決策のいくつかは、ソフトウェア製品の形式で実現されてもよい。コンピュータソフトウェア製品は記憶媒体に記憶され、コンピュータデバイス(パーソナルコンピュータ、サーバ、ネットワークデバイス等でもよい)に対して、この出願の実施形態に記載の方法のステップの全部又は一部を実行するように命令するためのいくつかの命令を含む。上記の記憶媒体は、USBフラッシュドライブ、取り外し可能ハードディスク、読み取り専用メモリ(read-only  memory,  ROM)、ランダムアクセスメモリ(random  access  memory,  RAM)、磁気ディスク又は光ディスクのようなプログラムコードを記憶できるいずれかの媒体を含む。
【０３２３】
上記の説明は、この出願の単なる具体的な実現方式であり、この出願の保護範囲を限定することを意図するものではない。この出願に開示された技術的範囲内で、当業者により容易に理解される如何なる変更又は代替も、この出願の保護範囲に含まれるものとする。したがって、この出願の保護範囲は、特許請求の範囲の保護範囲に従うものとする。
【図１】
2021530149.tif 000003
【図２】
2021530149.tif 000004
【図３】
2021530149.tif 000005
【図４】
2021530149.tif 000006
【図５】
2021530149.tif 000007
【図６】
2021530149.tif 000008
【図７】
2021530149.tif 000009
【図８】
2021530149.tif 000010
【図９】
2021530149.tif 000011
【図１０】
2021530149.tif 000012
【図１１】
2021530149.tif 000013
【図１２】
2021530149.tif 000014
【図１３】
2021530149.tif 000015
【図１４】
2021530149.tif 000016
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
リダイレクション方法であって、
端末により、第1のシステムにおけるモビリティ管理ネットワークエレメントからリダイレクション指示情報を受信するステップと、
前記端末により、前記リダイレクション指示情報に基づいて、第2のシステムを選択するステップと、
前記端末により、第2のメッセージを前記第2のシステムに送信するステップであり、前記第2のメッセージは、前記第2のシステムにアクセスすることを要求する、ステップと
を含む方法。
【請求項２】
端末によりリダイレクション指示情報を受信する前に、当該方法は、
前記端末により、前記第2のシステムにおける前記端末によりサポートされるセルラーのモノのインターネット(CIOT)特性及び前記第2のシステムにおける前記端末により優先されるCIOT特性を前記第1のシステムにおける前記モビリティ管理ネットワークエレメントに送信するステップを更に含む、請求項１に記載の方法。
【請求項３】
前記リダイレクション指示情報は、前記端末を前記第2のシステムにリダイレクトすることが前記第2のシステムにおける前記端末によりサポートされる前記CIOT特性及び前記第2のシステムにおける前記端末により優先される前記CIOT特性に基づいて決定された後に受信される、請求項１又は２に記載の方法。
【請求項４】
前記端末は、前記第1のシステムにおける前記端末によりサポートされるCIOT特性を無効にする、請求項１乃至３のうちいずれか１項に記載の方法。
【請求項５】
前記第1のシステムは第5世代移動通信システム(5GS)であり、前記第2のシステムは進化型パケットコア(EPC)であり、前記第2のメッセージはアタッチ要求メッセージ又はトラッキングエリア更新要求メッセージであるか、或いは
前記第1のシステムはEPCであり、前記第2のシステムは5GSであり、前記第2のメッセージは登録要求メッセージである、請求項１乃至４のうちいずれか１項に記載の方法。
【請求項６】
端末により、第1のシステムにおけるモビリティ管理ネットワークエレメントからリダイレクション指示情報を受信するステップは、
前記端末により、前記第1のシステムにおける前記モビリティ管理ネットワークエレメントから非アクセス層メッセージを受信するステップであり、前記非アクセス層メッセージは前記リダイレクション指示情報を搬送する、ステップを含む、請求項１乃至５のうちいずれか１項に記載の方法。
【請求項７】
前記リダイレクション指示情報は、Redirect  to  EPC  Indicationであるか、
前記リダイレクション指示情報は、Redirect  to  5GC  Indicationであるか、
前記リダイレクション指示情報は、Inter  CIOT  RAT  Redirection又はCIOT  Inter-RAT  Redirectionであるか、或いは、
前記リダイレクション指示情報は、Inter  CIOT  System  Redirection又はCIOT  Inter-System  Redirectionである、請求項１乃至６のうちいずれか１項に記載の方法。
【請求項８】
第1のシステムにおけるモビリティ管理ネットワークエレメントにより、第2のシステムにおける端末によりサポートされるセルラーのモノのインターネット(CIOT)特性及び前記第2のシステムにおける前記端末により優先されるCIOT特性に基づいて、前記端末を前記第2のシステムにリダイレクトすることを決定するステップと、
前記第1のシステムにおける前記モビリティ管理ネットワークエレメントにより、リダイレクション指示情報を前記端末に送信するステップであり、前記リダイレクション指示情報は、前記端末に対して、前記第2のシステムにリダイレクトするように指示する、ステップと
を含むリダイレクション方法。
【請求項９】
当該方法は、
前記第1のシステムにおける前記モビリティ管理ネットワークエレメントにより、前記端末から前記第2のシステムにおける前記端末によりサポートされる前記CIOT特性及び前記第2のシステムにおける前記端末により優先される前記CIOT特性を受信するステップを更に含む、請求項８に記載の方法。
【請求項１０】
前記第1のシステムは第5世代移動通信システム(5GS)であり、前記第2のシステムは進化型パケットコア(EPC)であるか、或いは
前記第1のシステムはEPCであり、前記第2のシステムは5GSである、請求項８又は９に記載の方法。
【請求項１１】
前記第1のシステムにおける前記モビリティ管理ネットワークエレメントにより、リダイレクション指示情報を前記端末に送信するステップは、
前記第1のシステムにおける前記モビリティ管理ネットワークエレメントにより、非アクセス層メッセージを前記端末に送信するステップであり、前記非アクセス層メッセージは前記リダイレクション指示情報を搬送する、ステップを含む、請求項８乃至１０のうちいずれか１項に記載の方法。
【請求項１２】
通信装置であって、
第1のシステムにおけるモビリティ管理ネットワークエレメントからリダイレクション指示情報を受信し、第2のメッセージを第2のシステムに送信するように構成されたトランシーバであり、前記第2のメッセージは、前記第2のシステムにアクセスすることを要求するために使用される、トランシーバと、
前記リダイレクション指示情報に基づいて、前記第2のシステムを選択するように構成されたプロセッサと
を含む通信装置。
【請求項１３】
前記トランシーバは、前記第2のシステムにおける当該通信装置によりサポートされるセルラーのモノのインターネット(CIOT)特性及び前記第2のシステムにおける当該通信装置により優先されるCIOT特性を前記第1のシステムにおける前記モビリティ管理ネットワークエレメントに送信するように更に構成される、請求項１２に記載の通信装置。
【請求項１４】
当該通信装置は、前記第1のシステムにおける当該通信装置によりサポートされるCIOT特性を無効にする、請求項１２又は１３に記載の通信装置。
【請求項１５】
前記リダイレクション指示情報は、当該通信装置を前記第2のシステムにリダイレクトすることが前記第2のシステムにおける当該通信装置によりサポートされる前記セルラーのモノのインターネットCIOT特性及び前記第2のシステムにおける当該通信装置により優先される前記CIOT特性に基づいて決定された後に受信される、請求項１２乃至１４のうちいずれか１項に記載の通信装置。
【請求項１６】
前記第1のシステムは第5世代移動通信システム(5GS)であり、前記第2のシステムは進化型パケットコア(EPC)であり、前記第2のメッセージはアタッチ要求メッセージ又はトラッキングエリア更新要求メッセージであるか、或いは
前記第1のシステムはEPCであり、前記第2のシステムは5GSであり、前記第2のメッセージは登録要求メッセージである、請求項１２乃至１５のうちいずれか１項に記載の通信装置。
【請求項１７】
前記リダイレクション指示情報は、非アクセス層メッセージに含まれる、請求項１２乃至１６のうちいずれか１項に記載の通信装置。
【請求項１８】
通信装置であって、
プロセッサと、
前記プロセッサに結合され、前記プロセッサにより実行されたとき、当該通信装置に対して、
第2のシステムにおける端末によりサポートされるセルラーのモノのインターネット(CIOT)特性及び前記第2のシステムにおける前記端末により優先されるCIOT特性に基づいて、前記端末を前記第2のシステムにリダイレクトすることを決定させ、
リダイレクション指示情報を前記端末に送信させる
命令を記憶したメモリと
を含む通信装置。
【請求項１９】
前記命令は、さらに、当該通信装置に対して、
前記端末から前記第2のシステムにおける前記端末によりサポートされる前記CIOT特性及び前記第2のシステムにおける前記端末により優先される前記CIOT特性を受信させる、請求項１８に記載の通信装置。
【請求項２０】
前記第2のシステムは進化型パケットコア(EPC)であるか、或いは
前記第2のシステムは5GSである、請求項１８又は１９に記載の通信装置。
【請求項２１】
前記リダイレクション指示情報は、非アクセス層メッセージに含まれる、請求項１８乃至２０のうちいずれか１項に記載の通信装置。
【請求項２２】
第1のシステムと第2のシステムとを含む通信システムであって、
前記第1のシステムは、モビリティ管理ネットワークエレメントを含み、前記モビリティ管理ネットワークエレメントは、請求項８乃至１１のうちいずれか１項に記載の方法を実行する、通信システム。
【請求項２３】
チップシステムであって、
コンピュータプログラムを記憶するように構成されたメモリと、
前記メモリから前記コンピュータプログラムを呼び出して前記コンピュータプログラムを動作させるように構成されたプロセッサであり、それにより、当該チップシステムが設置されたデバイスは、請求項１乃至７のうちいずれか１項に記載の方法又は請求項８乃至１１のうちいずれか１項に記載の方法を実行する、プロセッサと
を含むチップシステム。
【請求項２４】
コンピュータプログラムを含むコンピュータ読み取り可能記憶媒体であって、
前記コンピュータプログラムがコンピュータ上で実行されたとき、前記コンピュータは、請求項１乃至７のうちいずれか１項に記載の方法又は請求項８乃至１１のうちいずれか１項に記載の方法を実行することが可能になる、コンピュータ読み取り可能記憶媒体。
【請求項２５】
プログラムであって、
当該プログラムがコンピュータ上で実行されたとき、前記コンピュータは、請求項１乃至７のうちいずれか１項に記載の方法又は請求項８乃至１１のうちいずれか１項に記載の方法を実行することが可能になる、プログラム。
【手続補正２】
【補正対象書類名】明細書
【補正対象項目名】００５６
【補正方法】変更
【補正の内容】
【００５６】
第6の態様を参照して、可能な実現方式では、システムは、第1のシステムにおけるアクセスネットワークネットワークエレメントを更に含み、第1のシステムにおけるアクセスネットワークネットワークエレメントは、
第1のシステムにおけるモビリティ管理ネットワークエレメントからリダイレクション指示情報を受信し、
リダイレクション指示情報を端末に送信するように構成される。
【手続補正３】
【補正対象書類名】明細書
【補正対象項目名】００７３
【補正方法】変更
【補正の内容】
【００７３】
具体的には、モビリティ管理ネットワークエレメント110は、第2のシステムにおける端末140によりサポートされるCIOT特性及び第2のシステムにおける端末により優先されるCIOT特性に基づいて、端末を第2のシステムにリダイレクトすることを決定し、リダイレクション指示情報をアクセスネットワークネットワークエレメント120に送信し、リダイレクション指示情報は、アクセスネットワークネットワークエレメント120に対して、端末を第1のシステムから第2のシステムにリダイレクトするように指示するために使用され、アクセスネットワークネットワークエレメント120からハンドオーバ要求メッセージを受信し、ハンドオーバ要求メッセージに基づいてモビリティ管理ネットワークエレメント130を選択し、第1のメッセージをモビリティ管理ネットワークエレメント130に送信し、第1のメッセージは、端末を第2のシステムにハンドオーバすることを要求するために使用される、ように具体的に構成される。
【手続補正４】
【補正対象書類名】明細書
【補正対象項目名】００７４
【補正方法】変更
【補正の内容】
【００７４】
対応して、アクセスネットワークネットワークエレメント120は、モビリティ管理ネットワークエレメントからリダイレクション指示情報を受信し、ハンドオーバ要求メッセージをモビリティ管理ネットワークエレメント110に送信するように構成される。
【手続補正５】
【補正対象書類名】明細書
【補正対象項目名】００７６
【補正方法】変更
【補正の内容】
【００７６】
したがって、端末が第2のシステムにリダイレクトされる必要があると決定したとき、モビリティ管理ネットワークエレメント110は、リダイレクション指示情報を使用することにより、アクセスネットワークネットワークエレメント120に対して、ハンドオーバ手順をトリガするように指示してもよい。その後、アクセスネットワークネットワークエレメント120は、RAT間(inter  radio  access  technology,  inter-RAT)ハンドオーバ(handover,  HO)をトリガするために、ハンドオーバ要求メッセージをモビリティ管理エレメント110に送信してもよく、それにより、端末を第1のシステムから第2のシステムにハンドオーバする。したがって、2つの異なるシステムの間のリダイレクションの問題が解決できる。さらに、第1のシステムがEPSであり、第2のシステムが5GSであるとき、EPSから5GSへの端末のリダイレクションの問題が解決できる。第1のシステムが5GSであり、第2のシステムがEPSであるとき、5GSからEPSへの端末のリダイレクションの問題が解決できる。
【手続補正６】
【補正対象書類名】明細書
【補正対象項目名】００７７
【補正方法】変更
【補正の内容】
【００７７】
任意選択で、端末140は、接続状態の端末でもよく、モビリティ管理ネットワークエレメント110及びモビリティ管理ネットワークエレメント130は、N26インタフェースを使用することにより互いに通信してもよい。しかし、これは、この出願のこの実施形態では限定されない。
【手続補正７】
【補正対象書類名】明細書
【補正対象項目名】００７９
【補正方法】変更
【補正の内容】
【００７９】
任意選択で、端末140は、第1のシステムにおける端末によりサポートされるCIOT特性及び第1のシステムにおける端末により優先されるCIOT特性をモビリティ管理ネットワークエレメント110に送信するように更に構成される。対応して、モビリティ管理ネットワークエレメント130は、端末140から第1のシステムにおける端末によりサポートされるCIOT特性及び第1のシステムにおける端末により優先されるCIOT特性を受信するように構成される。
【手続補正８】
【補正対象書類名】明細書
【補正対象項目名】００９９
【補正方法】変更
【補正の内容】
【００９９】
1.進化型ユニバーサル地上無線アクセスネットワーク(evolved  universal  terrestrial  radio  access  network,  EUTRAN)は、複数の進化型ノードB(Evolved  NodeB,  eNodeB)を含むネットワークであり、無線物理層機能、リソーススケジューリング、無線リソース管理、無線アクセス制御及びモビリティ管理機能を実現する。eNodeBは、X2インタフェースを使用することにより互いに接続されてもよく、X2ベースのハンドオーバプロセスでデータを送信してもよい。eNodeBは、ユーザプレーンインタフェースS1-Uを使用することによりサービングゲートウェイ(serving  gateway,  SGW)に接続され、汎用パケット無線サービストンネリングプロトコル・ユーザプレーン(general  packet  radio  service  general  tunneling  protocol  user  plane,  GTP-U)を使用することによりユーザデータを送信し、制御プレーンインタフェースS1-MMEを使用することによりモビリティ管理エンティティ(mobility  management  entity,  MME)に接続され、S1-APプロトコルを使用することにより無線アクセスベア制御のような機能を実現する。
【手続補正９】
【補正対象書類名】明細書
【補正対象項目名】０１００
【補正方法】変更
【補正の内容】
【０１００】
2.MMEは、非アクセス層(non-access-stratum,  NAS)シグナリング及びセキュリティ、トラッキングエリアリスト(tracking  area  List)管理、パケットデータネットワークゲートウェイ(packet  data  network  gateway,  P-GW)及びSGW選択等を含む、ユーザ管理における全ての制御プレーン機能、すなわち、セッション管理を主に担う。
【手続補正１０】
【補正対象書類名】明細書
【補正対象項目名】０１０２
【補正方法】変更
【補正の内容】
【０１０２】
4.P-GWは、パケットデータネットワーク(packet  data  network,  PDN)接続のアンカーとして機能し、ユーザ機器のIPアドレス割り当て、及びユーザ装置のデータパケットフィルタリング、レート制御、課金情報生成等を担う。
【手続補正１１】
【補正対象書類名】明細書
【補正対象項目名】０１０３
【補正方法】変更
【補正の内容】
【０１０３】
5.サービングGPRSサポートノード(serving  GPRS  support  node,  SGSN)は、GSM/EDGE無線アクセスネットワーク(GSM/EDGE  radio  access  network,  GERAN)のような第2Gアクセスネットワーク又はユニバーサル地上無線アクセスネットワーク(universal  terrestrial  radio  access  network,  UTRAN)のような第3GアクセスネットワークとEPSコアネットワークEPCとの間のアクセスノードであり、GERAN又はUTRANからEPCへのベアラ確立及びデータ転送を担う。
【手続補正１２】
【補正対象書類名】明細書
【補正対象項目名】０１１０
【補正方法】変更
【補正の内容】
【０１１０】
DNは、ユーザのためにビジネスサービスを提供するデータネットワークである。通常では、クライアントはUEに位置し、サーバはデータネットワークに位置する。データネットワークは、ローカルエリアネットワークのようなプライベートネットワーク、インターネットのようなオペレータにより管理及び制御されない外部ネットワーク、又はIPマルチメディアサブシステム(IP  multimedia  subsystem,  IMS)サービスを構成するように配置された専用ネットワークのようなオペレータにより共同で配置される専用ネットワークでもよい。
【手続補正１３】
【補正対象書類名】明細書
【補正対象項目名】０１１１
【補正方法】変更
【補正の内容】
【０１１１】
図５は、図４に基づいて決定された詳細なアーキテクチャを示す。コアネットワークユーザプレーンは、ユーザプレーン機能(user  plane  function,  UPF)を含む。コアネットワーク制御プレーンは、認証サーバ機能(authentication  server  function,  AUSF)と、コアネットワークアクセス及びモビリティ管理機能(access  and  mobility  management  function,  AMF)と、セッション管理機能(session  management  function,  SMF)と、ネットワークスライス選択機能(network  slice  selection  function,  NSSF)と、ネットワーク公開機能(Network  Exposure  Function,  NEF)と、ネットワーク機能リポジトリ機能(NF  repository  function,  NRF)と、統一データ管理(unified  data  management,  UDM)と、ポリシー制御機能(policy  control  function,  PCF)と、アプリケーション機能(application  function,  AF)とを含む。これらの機能エンティティの機能は以下の通りである。
【手続補正１４】
【補正対象書類名】明細書
【補正対象項目名】０１３２
【補正方法】変更
【補正の内容】
【０１３２】
この出願では、EPSにおけるUEによりサポートされるCIOT特性はまた、UEのEPS  CIOT能力とも呼ばれる。同様に、5GSにおけるUEによりサポートされるCIOT特性はまた、UEの5GS  CIOT能力とも呼ばれる。例えば、CIOT特性は、CP最適化及びUP最適化でもよい。UEによりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  CP最適化及びEPS  UP最適化でもよく、5GSにおいて、CIOT特性は、他の特性でもよい。EPSにおけるUEにより優先されるCIOT特性は、EPSにおけるUEによりサポートされるCIOT特性のうち1つ以上である。同様に、5GSにおけるUEにより優先されるCIOT特性は、5GSにおけるUEによりサポートされるCIOT特性のうち1つ以上である。優先されるCIOT特性は、UEが1つ以上のCIOT特性をサポートするとき、UEにより優先的に使用される特性である。例えば、UP最適化及びCP最適化がサポートされるとき、優先される特性はCP最適化である。
【手続補正１５】
【補正対象書類名】明細書
【補正対象項目名】０１５１
【補正方法】変更
【補正の内容】
【０１５１】
例えば、MMEは、或る期間内(例えば、予め設定された期間内)或いはネットワークにより構成された期間内に、第2の指示情報に基づいて、UEを5GSにリダイレクトしなくてもよい。
【手続補正１６】
【補正対象書類名】明細書
【補正対象項目名】０１６２
【補正方法】変更
【補正の内容】
【０１６２】
UEは、EPSにおけるUEによりサポートされるCIOT特性及びEPSにおけるUEにより優先されるCIOT特性をMMEに更に送信してもよいことが理解されるべきである。このように、UEは、EPSにおけるUEによりサポートされるCIOT特性及びEPSにおけるUEにより優先されるCIOT特性をMMEに登録してもよい。例えば、EPSにおけるUEによりサポートされるCIOT特性及びEPSにおけるUEにより優先されるCIOT特性は、アタッチ要求(attach  request)メッセージ又はTAU要求(request)メッセージで搬送されてもよい。
【手続補正１７】
【補正対象書類名】明細書
【補正対象項目名】０１６３
【補正方法】変更
【補正の内容】
【０１６３】
この出願では、EPSにおけるUEによりサポートされるCIOT特性はまた、UEのEPS  CIOT能力とも呼ばれる。同様に、5GSにおけるUEによりサポートされるCIOT特性はまた、UEの5GS  CIOT能力とも呼ばれる。例えば、CIOT特性は、CP最適化及びUP最適化でもよい。UEによりサポートされるCIOT特性は、CP最適化及びUP最適化のいずれかでもよく、或いは、CP最適化及びUP最適化の双方がサポートされてもよい。しかし、この出願では、CIOT特性は具体的に限定されないことが理解されるべきである。例えば、EPSにおいて、CIOT特性は、EPS  CP最適化及びEPS  UP最適化でもよく、5GSにおいて、CIOT特性は、他の特性でもよい。EPSにおけるUEにより優先されるCIOT特性は、EPSにおけるUEによりサポートされるCIOT特性のうち1つ以上である。同様に、5GSにおけるUEにより優先されるCIOT特性は、5GSにおけるUEによりサポートされるCIOT特性のうち1つ以上である。優先されるCIOT特性は、UEが1つ以上のCIOT特性をサポートするとき、UEにより優先的に使用される特性である。例えば、UP最適化及びCP最適化がサポートされるとき、優先される特性はCP最適化である。
【手続補正１８】
【補正対象書類名】明細書
【補正対象項目名】０１８３
【補正方法】変更
【補正の内容】
【０１８３】
例えば、MAEは、或る期間内(例えば、予め設定された期間内)或いはネットワークにより構成された期間内に、第2の指示情報に基づいて、UEをEPSにリダイレクトしなくてもよい。
【手続補正１９】
【補正対象書類名】明細書
【補正対象項目名】０２０１
【補正方法】変更
【補正の内容】
【０２０１】
方法600とは異なり、方法800において、リダイレクション指示情報を受信した後に、S-RANは、ハンドオーバ手順をトリガするために、ハンドオーバ要求メッセージをAMFに送信せず、後続の手順を実行するようにUEをトリガするために、リダイレクション指示情報をUEに送信することが習得できる。
【手続補正２０】
【補正対象書類名】明細書
【補正対象項目名】０２１１
【補正方法】変更
【補正の内容】
【０２１１】
例えば、MMEは、或る期間内(例えば、予め設定された期間内)或いはネットワークにより構成された期間内に、第3の指示情報に基づいて、UEを5GS又は5GCに戻るようにリダイレクトしなくてもよい。
【手続補正２１】
【補正対象書類名】明細書
【補正対象項目名】０２２７
【補正方法】変更
【補正の内容】
【０２２７】
方法700とは異なり、方法900において、リダイレクション指示情報を受信した後に、S-RANは、ハンドオーバ手順をトリガするために、ハンドオーバ要求メッセージをMMEに送信せず、アクセス手順を実行するようにUEをトリガするために、リダイレクション指示情報をUEに送信することが習得できる。
【手続補正２２】
【補正対象書類名】明細書
【補正対象項目名】０２３７
【補正方法】変更
【補正の内容】
【０２３７】
例えば、ＡＭＦは、或る期間内(例えば、予め設定された期間内)或いはネットワークにより構成された期間内に、第3の指示情報に基づいて、UEをEPS又はEPCに戻るようにリダイレクトしなくてもよい。
【手続補正２３】
【補正対象書類名】明細書
【補正対象項目名】０２４０
【補正方法】変更
【補正の内容】
【０２４０】
したがって、この出願のこの実施形態におけるリダイレクション方法によれば、UEは、ターゲットシステム(すなわち、5GS)にリダイレクトされた後に、ソースシステム(すなわち、EPS又はEPC)に戻るようにリダイレクトされるのを防止できる。
【手続補正２４】
【補正対象書類名】明細書
【補正対象項目名】０２４４
【補正方法】変更
【補正の内容】
【０２４４】
図１０は、この出願の実施形態によるリダイレクション方法1000の概略フローチャートである。方法1000は、S1004〜S1010を主に含む。任意選択で、方法1000は、S1002及び/又はS1012を更に含んでもよい。
【手続補正２５】
【補正対象書類名】明細書
【補正対象項目名】０２６４
【補正方法】変更
【補正の内容】
【０２６４】
図１１は、この出願の実施形態によるリダイレクション方法1100の概略フローチャートである。方法1100は、S1104〜S1110を主に含む。任意選択で、方法1100は、S1102及び/又はS1112を更に含んでもよい。
【手続補正２６】
【補正対象書類名】明細書
【補正対象項目名】０２９５
【補正方法】変更
【補正の内容】
【０２９５】
受信ユニット1310は、リダイレクション指示情報を受信するように構成され、リダイレクション指示情報は、通信装置に対して、第2のシステムにリダイレクトするように指示するために使用され、第2のシステムへの通信装置のリダイレクションは、第2のシステムにおける通信装置によりサポートされるセルラーのモノのインターネットCIOT特性及び第2のシステムにおける通信装置により優先されるCIOT特性に基づいて決定される。
【手続補正２７】
【補正対象書類名】明細書
【補正対象項目名】０３０９
【補正方法】変更
【補正の内容】
【０３０９】
任意選択で、メモリ1430は、読み取り専用メモリ及びランダムアクセスメモリを含み、プロセッサ1410のための命令及びデータを提供してもよい。メモリの一部は、不揮発性ランダムアクセスメモリを更に含んでもよい。例えば、メモリ1430は、デバイスタイプの情報を更に記憶してもよい。プロセッサ1410は、メモリに記憶された命令を実行するように構成されてもよい。さらに、プロセッサ1410がメモリに記憶された命令を実行したとき、プロセッサ1410は、上記の方法の実施形態における端末又は第1のシステムにおけるモビリティ管理ネットワークエレメントに対応するステップ及び/又は手順を実行するように構成される。
【手続補正２８】
【補正対象書類名】明細書
【補正対象項目名】０３１０
【補正方法】変更
【補正の内容】
【０３１０】
トランシーバ1420は、送信機及び受信機を含んでもよいことが理解されるべきである。トランシーバ1420は、アンテナを更に含んでもよい。1つ以上のアンテナが存在してもよい。メモリ1430は、別個のコンポーネントでもよく、或いは、プロセッサ1410に統合されてもよい。上記のコンポーネントのそれぞれ又はいくつかのコンポーネントは、実現のためのチップに統合されてもよく、例えば、実現のためにベースバンドチップに統合されてもよい。
【国際調査報告】
2021530149.tif 000017
2021530149.tif 000018
2021530149.tif 000019
2021530149.tif 000020